(57)【特許請求の範囲】
【請求項１】
伸縮性を有し、身体に密着して着用される下肢部をサポートする股部を有する被服であって、当該被服は比較的緊締力の強い伸縮性部を有し、前記比較的緊締力の強い伸縮性部が、
人体の膝関節の内側側面の側副靭帯を実質的にカバーし、更に、人体内側側部側の膝蓋骨の下側部分の一部をカバーし、内側の腓腹筋及び／又はヒラメ筋の側方に至っており、膝関節上方においては、大腿部をその内側から前側を通り外側に向かってほぼ縫工筋に沿い大転子近傍に至っている比較的緊締力の強い伸縮性部からなり、
前記被服は、比較的緊締力の強い伸縮性部が比較的緊締力の強い伸縮性部となる所定形状の伸縮性生地を被服本体に重ね合わせてそれを縫合させることによって形成されているか、または、比較的緊締力の強い伸縮性部とそれ以外の部分をそれぞれ所定形状のパーツにしてそれらが接ぎ合わされて形成されている下肢部サポート用被服。
【請求項２】
下肢部サポート用被服が、少なくともウエストラインから踝の上方までの長さを有し、股部を有する被服である請求項1に記載の下肢部サポート用被服。
【請求項３】
前記人体の膝関節の内側側面の側副靭帯を実質的にカバーし、ほぼ縫工筋に沿い大転子近傍に至っている比較的緊締力の強い伸縮性部で表わされる部分が、更に大転子近傍から腸脛靭帯に沿ってウェスト近傍に至っている比較的緊締力の強い伸縮性部を有している請求項１〜２のいずれかに記載の下肢部サポート用被服。
【請求項４】
前記人体の膝関節の内側側面の側副靭帯を実質的にカバーし、ほぼ縫工筋に沿い大転子近傍に至っている比較的緊締力の強い伸縮性部で表わされる部分が、更に、膝蓋骨の人体内側側部側のほぼ周囲近辺から膝蓋骨の上側部分の一部をカバーしている比較的緊締力の強い伸縮性部である請求項１〜３のいずれかに記載の下肢部サポート用被服。
【請求項５】
下肢部サポート用被服が、ウエストラインから膝下までの長さを有し、股部を有する被服である請求項１、３または４のいずれかに記載の下肢部サポート用被服。
【請求項６】
脚部を筒状に形成する被服本体の縫製ライン全体が、脚部の外側を通っている請求項１〜５のいずれかに記載の下肢部サポート用被服。
【請求項７】
更に上半身部が付加されている形状の被服である請求項１〜６のいずれかに記載の下肢部サポート用被服。
【発明の詳細な説明】
【技術分野】
【０００１】
本発明は、股部を有する下肢部サポート用被服に関するものであり、特に本発明は、比較的緊締力の強い伸縮性部を特定部分に有する伸縮性の下肢部サポート用被服に関するものである。
【背景技術】
【０００２】
加齢により膝を支える筋肉や靱帯の衰えや、スポーツなどによる膝の傷害など、膝は整形外科関係で最もトラブルの多い部位である。
【０００３】
近年かかる膝の傷害の治療や保護のために、人体の必要個所にテーピングを施したり、コルセットを着用することは、しばしば行われている。
【０００４】
しかし、テーピングは、自分自身で施すことは困難であり、他の人にテーピングしてもらう必要があるが、素人ではテーピングはできないので、専門家にいちいちテーピングをしてもらう必要があり、着脱が不便である。また、長時間着用することができないし、皮膚障害に繋がることもある等の問題がある。また、膝関節を固定してしまい、膝関節の動きの自由度がかなり低下する。一方、コルセットを用いた場合には、膝蓋骨を十分に自由にしていないため、同様に膝関節の動きの自由度がかなり低下する。
【０００５】
近年は、特定の筋肉をサポートする各種の被服が提案されている。（下記特許文献１〜６参照）。
【０００６】
このような筋肉サポート機能を有する被服としては、通常、サポートしたい筋肉上、またはその筋肉の脇側に緊締力の比較的強い部分を設けた被服が用いられている。
【特許文献１】特開平４-３４３８６８号
【特許文献２】特開平４-５７９０２号
【特許文献３】特開平４-５０３０２号
【特許文献４】特開平８−８１８０７号
【特許文献５】特開平９−２４１９０６号
【特許文献６】特開平１０−２８０２０９号
【発明の開示】
【発明が解決しようとする課題】
【０００７】
しかし、これらの筋肉サポート機能を有する被服は、それほど膝の保護という点に注目されて設計されていない。
【０００８】
人間は立っているだけでも膝が外反しようとする傾向にある。すなわち、脚部は膝関節内側側面を頂点として内側に凸に曲がろうとする力がかかり、膝関節の内側側面の側副靭帯（以下、これを内側側副靭帯と称する）にテンションがより多くかかってくる。内側側副靭帯は、その上を縫工筋、半腱様筋、半膜様筋及び薄筋の下側の腱の部分で覆われており保護されている。しかしこれらの筋肉が疲労したり、加齢により筋力が低下すると靱帯だけでは耐えきれなくなり膝が不安定になる。
【０００９】
ところで、今まで人体の膝関節の内側側副靭帯に注目してこれをサポートするための被服については、ほとんど検討されてきていない。ところが膝関節疾患の中でも膝内側側副靭帯損傷は統計的にかなり多い疾患でる。従って、膝の動きの自由度は確保し、しかも膝のサポートを十分行うには、内側側副靭帯を主体に検討すべきであることがわかった。
【００１０】
内側側副靭帯は膝関節の内側側面において、大腿骨下端部近傍と頸骨上端部近傍をつなぐような形で膝関節の内側側面やや後ろ寄りに存在している。内側側副靭帯と反対側の膝関節の外側側面には外側側副靭帯が存在し、膝関節の外側側面において大腿骨下端部近傍と腓骨上端部近傍をつなぐような形で存在している。しかし、外側側副靭帯疾患は、内側側副靭帯疾患に比べてかなり少なく、内側側副靭帯疾患が多い。この理由としては、内側側副靭帯は外側側副靭帯に比べて引っ張り強度が小さく、断裂に至るまでの伸びも小さいからである。すなわち、強靱性と弾力性において内側側副靭帯は外側側副靭帯に比べて劣っている。
【００１１】
前述したように内側側副靭帯は、その上を縫工筋、半腱様筋、半膜様筋あるいは薄筋の下側の腱の部分で覆われており、しかも膝関節の内側側面の若干後ろよりに存在するので、今まで筋肉サポート被服の提案においては、内側側副靭帯のサポートに注目してこれを具体的に取り上げたものは見あたっていない。
【００１２】
そこで、本発明者らは内側側副靭帯のサポートを中心に検討することによって、より効率よく膝を保護し、膝関節を安定に保ち、しかも膝関節の動きの自由度をあまり低下させず、着用感も良好で、膝の不安定さから生じる膝痛などの予防や、軽減、さらには、スポーツその他で生じる内側側副靭帯損傷の予防にも有用な下肢部サポート用被服を提供することを目的とするものである。
【課題を解決するための手段】
【００１３】
上記の課題を解決するために、本発明は、次の様な下肢部サポート用被服を提供するものである。
（１）伸縮性を有し、身体に密着して着用される下肢部をサポートする股部を有する被服であって、当該被服は比較的緊締力の強い伸縮性部を有し、前記比較的緊締力の強い伸縮性部が、
人体の膝関節の内側側面の側副靭帯を実質的にカバーし、更に、人体内側側部側の膝蓋骨の下側部分の一部をカバーし、内側の腓腹筋及び／又はヒラメ筋の側方に至っており、膝関節上方においては、大腿部をその内側から前側を通り外側に向かってほぼ縫工筋に沿い大転子近傍に至っている比較的緊締力の強い伸縮性部からなり、
前記被服は、比較的緊締力の強い伸縮性部が比較的緊締力の強い伸縮性部となる所定形状の伸縮性生地を被服本体に重ね合わせてそれを縫合させることによって形成されているか、または、比較的緊締力の強い伸縮性部とそれ以外の部分をそれぞれ所定形状のパーツにしてそれらが接ぎ合わされて形成されている下肢部サポート用被服。
【００１４】
（２）下肢部サポート用被服が、少なくともウエストラインから踝の上方までの長さを有し、股部を有する被服である前記（１）項に記載の下肢部サポート用被服。
（３）前記人体の膝関節の内側側面の側副靭帯を実質的にカバーし、ほぼ縫工筋に沿い大転子近傍に至っている比較的緊締力の強い伸縮性部で表わされる部分が、更に大転子近傍から腸脛靭帯に沿ってウェスト近傍に至っている比較的緊締力の強い伸縮性部を有している前記（１）〜（２）項のいずれかに記載の下肢部サポート用被服。
（４）前記人体の膝関節の内側側面の側副靭帯を実質的にカバーし、ほぼ縫工筋に沿い大転子近傍に至っている比較的緊締力の強い伸縮性部で表わされる部分が、更に、膝蓋骨の人体内側側部側のほぼ周囲近辺から膝蓋骨の上側部分の一部をカバーしている比較的緊締力の強い伸縮性部である前記（１）〜（３）項のいずれかに記載の下肢部サポート用被服。
（５）下肢部サポート用被服が、ウエストラインから膝下までの長さを有し、股部を有する被服である前記（１）、（３）または（４）項のいずれかに記載の下肢部サポート用被服。
（６）脚部を筒状に形成する被服本体の縫製ライン全体が、脚部の外側を通っている前記（１）〜（５）項のいずれかに記載の下肢部サポート用被服。
（７）更に上半身部が付加されている形状の被服である前記（１）〜（６）項のいずれかに記載の下肢部サポート用被服。
【発明の効果】
【００１５】
本発明の下肢部サポート用被服は、伸縮性を有し、身体に密着して着用される下肢部をサポートする股部を有する被服であって、当該被服は比較的緊締力の強い伸縮性部を有し、前記比較的緊締力の強い伸縮性部が、人体の膝関節の内側側面の側副靭帯を実質的にカバーし、膝関節の上方においては、縫工筋に沿って設けられている比較的緊締力の強い伸縮性部を有している。
【００１６】
従って本発明の下肢部サポート用被服は、前記比較的緊締力の強い伸縮性部が内側側副靭帯をサポートし、さらに膝関節の上方において、前記内側側副靭帯の上に存在して上方に伸びている縫工筋をサポートしており、この様に上方に伸びている部分で内側側副靭帯をサポートしている比較的緊締力の強い伸縮性部を引っ張るようなパワーが作用するので、より内側側副靭帯のサポート力が向上し、また、内側側副靭帯とともに膝関節をサポートしている縫工筋を比較的緊締力の強い伸縮性部がサポートするのでこの両者の総合作用から、膝を保護し、膝関節を安定に保ち、しかも膝関節の動きの自由度をあまり低下させず、着用感も良好で、膝の不安定さから生じる膝痛などの予防や、軽減、さらには、スポーツその他で生じる内側側副靭帯損傷の予防にも有用な下肢部サポート用被服を提供できる。
【００１７】
また、縫工筋をサポートし、大腿部を内側から外側に向かって斜めに大転子に至るまで螺旋状に比較的緊締力の強い伸縮性部が存在するので、内側側副靭帯をサポートしている比較的緊締力の強い伸縮性部を引っ張るようなパワーが更に一層強められ、より内側側副靭帯のサポート力が向上した下肢部サポート用被服が提供でき好ましい。更に、内側側副靭帯の機能を補助している縫工筋をサポートでき好ましい。
【００１８】
また、上記比較的緊締力の強い伸縮性部で表わされる部分が、更に大転子近傍から腸脛靭帯に沿ってウェスト近傍に至っている本発明の好ましい態様の下肢部サポート用被服とすることにより、更に前記の機能が更に強化され、また、大転子を押さえる機能が付与されており、大腿骨頭と寛骨臼との結合を良好にし、股関節の安定性を向上させる機能が発揮され好ましい。
【発明を実施するための最良の形態】
【００１９】
以下、図面を参照しながら、本発明の具体的実施の形態例について説明するが、本発明では、本発明の下肢部サポート用被服のどの部分に比較的緊締力の強い伸縮性部が配置されているか、比較的緊締力の強い伸縮性部が配置されている被服上における位置の説明に身体の一部や筋肉や骨格相当部分の名称を使用している部分もあるので、理解を容易にするために、先ず、本発明で緊締力の強い部分の位置等の説明に使用する骨格や筋肉の人体における位置を説明しておく。
【００２０】
図１２３は図の右半分が人体下肢部の前面側から見た骨格図、また、左半分が人体下肢部の前面側から見た筋肉図である。図１２４は図の左半分が人体下肢部の後面側から見た骨格図、また、右半分が人体下肢部の後面側から見た筋肉図である。また、図１２５は人体の右側の下肢部の外側側面側から見た一部骨格付きの筋肉図、また、図１２６は人体の右側の下肢部の内側側面側から見た一部骨格付きの筋肉図である。尚、図１２３〜図１２６において、本発明の説明に特に必要のない部分の筋肉や骨格は説明を省略している。
【００２１】
図１２３〜図１２６において、７０１が中殿筋、７０２が大殿筋、７０３が大転子、７０４が外側広筋、７０５が腸脛靭帯、７０６が大内転筋、７０７が半膜様筋、７０８が半腱様筋、７０９が大腿二頭筋、７１０が薄筋、７１１が縫工筋、７１２が内側広筋、７１３が大腿骨の外側顆、７１４が大腿骨の内側顆、７１５が膝蓋部（膝蓋骨）、７１６が前脛骨筋、７１７が脛骨、７１８がヒラメ筋（７１８ａが外側のヒラメ筋で７１８ｂが内側のヒラメ筋）、７１９が腓腹筋（７１９ａが外側の腓腹筋で７１９ｂが内側の腓腹筋）、７２０が長腓骨筋、７２１が外果（外踝）、７２２が内果（内踝）、７２３が大腿直筋、７２４が大腿骨、７２５が腓骨、７２６が腓骨頭、７２７が大腿骨頭、７２８が寛骨臼、７２９が仙骨である。なお、腰椎は、第１腰椎から第５腰椎があり、これらの腰椎については図示を省略しているが、仙骨７２９の上に存在している。また、腹直筋、外腹斜筋、内腹斜筋についても図示していないが、腹直筋は腹部中央に縦方向に胸の下の腹部上部から下腹部にかけて存在する筋肉であり、外腹斜筋は、腹直筋の左右の脇側に存在し、筋繊維方向が脇側方向に斜め上向きの筋肉であり、内腹斜筋はほぼ腹直筋と外腹斜筋の背面側に存在し、筋繊維方向は人体前中心から左右にそれぞれほぼ斜め下向き方向である。
【００２２】
次に内側側幅靱帯などを説明するために、膝関節近傍の骨格と靱帯の部分図として、図１２７と図１２８を示した。
【００２３】
図１２７は、膝関節を後ろ側から見た背面図に相当し、矢印Ａ側が人体の内側であり、矢印Ｂ側が外側である。また、図１２８は、膝関節を内側（矢印Ａ側）から見た側面図に相当し、矢印Ｄ側が人体の前側であり、矢印Ｅ側が後側である。図１２８は、膝を折り曲げている状態である。８００が内側側幅靱帯、８０１が外側側幅靱帯、８０３が頸骨の内側顆、８０４が腓骨の外側顆、８０５が内側半月、８０６が外側半月、８０７が後十字靱帯、７０９´は大腿二頭筋の腱の部分の一部であり、上方の筋肉は図示していない。
【００２４】
これらの図からも明らかなように、内側側副靭帯は膝関節の内側側面において、大腿骨下端部近傍と頸骨上端部近傍をつなぐような形で膝関節の内側側面やや後ろ寄りに存在している。
【００２５】
なお、これらの骨格や筋肉の位置、形、大きさは個体それぞれに応じて若干相違するので、上記筋肉ならびに骨格図は代表例の一つとして示したものである。
【００２６】
また、各筋肉の筋繊維の方向は、図示の各筋肉中に示した細線の長さ方向であり、この筋繊維の方向が筋肉の収縮方向である。なお、これらの骨格や筋肉の位置、形、大きさは個体それぞれに応じて若干相違するので、上記筋肉ならびに骨格図は代表例の一つとして示したものである。
【００２７】
上述したように骨格や筋肉の位置、形、大きさは個体それぞれに応じて相違するし、人体全体の大きさも相違するので、比較的緊締力の強い伸縮性部と比較的緊締力の弱い部分とが配置されている被服上における位置が所定の指定された位置から多少のずれがあっても、本発明の目的が達成できる範囲においては差し支えない。
【００２８】
次に、本発明の理解を容易にするために、図面を参照しながら、本発明の下肢部サポート用被服の具体的実施の形態例について説明するが、本発明の下肢部サポート用被服は、図示したもののみに限定されるものではない。
【００２９】
また、以下の説明においては、本発明の下肢部サポート用被服において、当該被服の比較的緊締力の強い伸縮性部などの位置を示すのに、人体の筋肉や靭帯、腱、骨などの名称を用いて説明しているが、これは、比較的緊締力の強い伸縮性部などが、人体の当該筋肉や靭帯、腱、骨などの存在する部分上またはその近傍上を通っていることを示すために、前記筋肉や骨などの名称を用いて略述したものである。また、被服において、比較的緊締力の強い伸縮性部以外の部分は、縫合ラインの部分とか、特に伸縮性の小さい又は伸縮性のない生地を用いる小部分を除いて、主たる部分は比較的緊締力の強い伸縮性部に比べて、それより比較的緊締力の弱い伸縮性の生地からなっている。そして、上述した事項は、以下に示す他の実施態様についても同様である。
【００３０】
また、本発明において、「比較的緊締力の強い伸縮性部が、人体の膝関節の内側側面の側副靭帯を実質的にカバーし」とは、内側側副靭帯の全部をカバーしていなくても、大部分をカバーしていればよいことを意味しており、具体的には、膝関節より上側の内側側副靭帯はほぼカバーされ、膝関節より下側は、膝蓋骨の下端に相当する位置まで内側側副靭帯が比較的緊締力の強い伸縮性部でカバーされていればよい。
【００３１】
更に、以下の本発明の被服の実施態様を示す各図面において、図１〜図４を代表例として取り上げて説明するならば、１は膝蓋骨の存在する位置を模式的に示したものであり、膝蓋骨の大きさがこの大きさであることを意味するものではない。そして、これはまた、膝関節の中心位置を示すためにも用いられている。なお、本発明の被服の実施態様の背面図においても、膝蓋骨の存在する位置にマークをつけておくことは、各図面の説明において、本発明の被服の理解を容易にするので、背面図においても膝蓋骨の存在する位置を鎖線の丸で示した。また、それぞれのＡ−Ａ´ラインにおける断面図や側面図にも、膝蓋骨の存在する位置を半円で示した。
【００３２】
図１は本発明の股部を有しウエストラインから踝の上方までの長さを有する下肢部サポート用被服（以下、このような長い形状の被服を「ロングタイツタイプ」と略称することがある。）の一実施態様の背面図、図２はその正面図、図３は図２のＡ−Ａ´ラインにおける断面図、図４は正面図を基準とした場合の正面図（この場合は図２）の右側から見た場合に相当する被服の側面図である。以下、このような、正面図の右側から見た場合に相当する側面図のことを単に右側面図と略称する。
【００３３】
図１〜４に示されたロングタイツタイプの本発明の下肢部サポート用被服は、比較的緊締力の強い伸縮性部（Ａ）で表わされる部分２が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨の下側部分の一部４をカバーし、内側の腓腹筋及びヒラメ筋の側方５に至っており、膝関節上側においては、大腿部をその内側から前側を通り外側に向かってほぼ縫工筋６に沿い更に大腿直筋のうちの上方部分７を通り、大転子近傍８に至っている比較的緊締力の強い伸縮性部（Ａ１）１２１からなる比較的緊締力の強い伸縮性部を有している下肢部サポート用被服である。
【００３４】
上記本発明の好ましい態様とすることにより、比較的緊締力の強い伸縮性部１２１が膝蓋骨１の下側部分の一部４をカバーし膝蓋骨１を下側から引き上げるようにサポートでき膝関節の安定性を向上するとともに、更に縫工筋６をサポートし、大腿部を内側から外側に向かって斜めに大転子８に至るまで螺旋状に比較的緊締力の強い伸縮性部１２１が存在するので、内側側副靭帯３をサポートしている比較的緊締力の強い伸縮性部を引っ張るようなパワーが更に一層強められ、より内側側副靭帯３のサポート力が向上した下肢部サポート用被服が提供でき好ましい。更に、内側側副靭帯３の機能を補助している縫工筋６をサポートでき好ましい。
【００３５】
次に、図５〜８は、本発明のロングタイツタイプの下肢部サポート用被服の更に別の一実施態様を示す図であり、図５はその背面図、図６はその正面図、図７は図６のＡ−Ａ´ラインにおける断面図、図８はその右側面図である。
【００３６】
この態様においては、図１〜図４に示した態様における比較的緊締力の強い伸縮性部（Ａ１）で表わされる部分１２１が、更に大転子近傍８から腸脛靭帯９に沿ってウェスト近傍１０にまで伸びている比較的緊締力の強い伸縮性部（Ａ１−１）１２２を有している点が図１〜図４の示した態様と異なっている。従って、図１〜図４の示した態様と、同一の部分には、同一の符号を付し、重複説明を省略している。以下の、図面の各実施態様についても、特に断らない限り、先の図面に示した態様と、同一の部分には、同一の符号を付し、重複説明を省略している。
【００３７】
上記本発明の好ましい態様とすることにより、更に大転子近傍８から腸脛靭帯９に沿ってウェスト近傍１０に至っている比較的緊締力の強い伸縮性部（Ａ１−１）１２２を有しているので、前記図１〜４を用いて説明したと同様の機能が更に強化され、また、大転子８をより強く押さえる機能が強化されており、大腿骨頭と寛骨臼との結合を良好にし、従って、更に股関節の安定性を向上させる機能が発揮され好ましい。
【００３８】
次に、図９〜１２は、本発明のロングタイツタイプの下肢部サポート用被服の更に別の一実施態様を示す図であり、図９はその背面図、図１０はその正面図、図１１は図１０のＡ−Ａ´ラインにおける断面図、図１２はその右側面図である。
【００３９】
この態様の被服は、図５〜図８で示した態様の被服の変形態様であり、比較的緊締力の強い伸縮性部（Ａ１）で表わされる部分１２１が、更に膝蓋骨１の人体内側側部側のほぼ周囲近辺から膝蓋骨１の上側部分１１の少なくとも一部をカバーしている下肢部サポート用被服である。
【００４０】
上記本発明の好ましい態様とすることにより、前記図５〜８を用いて説明した被服と同様の機能が発揮されるとともに、比較的緊締力の強い伸縮性部（Ａ１）１２１が、更に膝蓋骨１の上側部分の少なくとも一部１１もカバーしているので、膝蓋骨１の下側部分４と両方から膝関節のサポートができ、より膝関節の安定性を保つことができ好ましい。
【００４１】
次に、図１３〜１６は、参考例としてのロングタイツタイプの下肢部サポート用被服の一参考実施態様を示す図であり、図１３はその背面図、図１４はその正面図、図１５は図１４のＡ−Ａ´ラインにおける断面図、図１６はその右側面図である。
【００４２】
この態様の被服は、図１〜図４で示した態様の被服の変形態様であり、比較的緊締力の強い伸縮性部（Ａ１）１２１で表わされる部分が、更に、内側の腓腹筋側方から膝蓋骨の下側の周囲近辺１２を通って斜め上方に向かい膝蓋骨１の外側側方１３に至る比較的緊締力の強い伸縮性部（Ａ１−２）１２３を有している。
【００４３】
上記参考態様とすることにより、図１〜図４で示した態様と同様の機能が発揮されるとともに、更に膝蓋骨１周囲を内側の腓腹筋側方からすなわち内側下側から包み込み斜め上方に引き上げるようなパワーが作用し、より一層膝関節の安定性をはかることができ好ましい。
【００４４】
次に、図１７〜２０は、参考例としてのロングタイツタイプの下肢部サポート用被服の別の一参考実施態様を示す図であり、図１７はその背面図、図１８はその正面図、図１９は図１８のＡ−Ａ´ラインにおける断面図、図２０はその右側面図である。
【００４５】
この態様の被服は、図５〜図８で示した態様の被服の変形態様であり、図５〜図８で示した態様の被服に更に次に説明する比較的緊締力の強い伸縮性部（Ｂ）が付加された態様である。すなわち、更に、大転子近傍８から下側に向かって、ほぼ腸脛靭帯９に沿って膝蓋骨１の外側側部側に至り、膝蓋骨の外側から下側部分１４の一部をカバーし、外側の腓腹筋及びヒラメ筋の側方１５を通って外踝の上側１６に至っている比較的緊締力の強い伸縮性部（Ｂ）１２４を有している。比較的緊締力の強い伸縮性部（Ｂ）１２４が比較的緊締力の強い伸縮性部（Ａ１）１２１と合体した上方部分（Ａ１−１）１２２の部分は、図５〜８に示したものに比べて比較的緊締力の強い伸縮性部の幅が若干太くなっている。
【００４６】
上記参考態様とすることにより、図５〜８に示した下肢部サポート用被服と同様の機能が発揮されるとともに、比較的緊締力の強い伸縮性部（Ｂ）１２４を更に有しているので、大腿部並びに下腿部において両側から膝と脚部をサポートし、しかも腓腹筋及びヒラメ筋の活動を阻害しないようにその側方から腓腹筋及びヒラメ筋をサポートできる。また、大転子８を押さえる機能が更に一層強化されており、大腿骨頭と寛骨臼との結合をより良好にし、股関節の安定性を向上させる機能がより強化される。
【００４７】
次に、図２１〜２４は、参考例としてのロングタイツタイプの下肢部サポート用被服の更に別の一参考実施態様を示す図であり、図２１はその背面図、図２２はその正面図、図２３は図２２のＡ−Ａ´ラインにおける断面図、図２４はその右側面図である。
【００４８】
この態様の被服は、比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って膝蓋骨の周囲のほぼ１／４を取り囲んでいて膝蓋骨１の下側部分４の一部をカバーし、内側の腓腹筋及びヒラメ筋の側方５に至っており、膝関節上側においては、大腿部をほぼ半腱様筋２１に沿って臀溝近傍２２に至っている比較的緊締力の強い伸縮性部（Ａ２）１３０からなる比較的緊締力の強い伸縮性部を有している下肢部サポート用被服である。
【００４９】
上記参考態様とすることにより、比較的緊締力の強い伸縮性部１３０が膝蓋骨１の下側部分４の一部をカバーし膝蓋骨１を下側から引き上げるようにサポートでき膝関節の安定性を向上するとともに、更に大腿部の内側に存在する半腱様筋２１をサポートし、内側側副靭帯３をサポートしている比較的緊締力の強い伸縮性部を引っ張るようなパワーが強められ、より内側側副靭帯３のサポート力が向上した下肢部サポート用被服が提供でき好ましい。更に、内側側副靭帯の機能を補助している半腱様筋をサポートでき好ましい。
【００５０】
次に、図２５〜２８は、参考例としてのロングタイツタイプの下肢部サポート用被服の更に別の一参考実施態様を示す図であり、図２５はその背面図、図２６はその正面図、図２７は図２６のＡ−Ａ´ラインにおける断面図、図２８はその右側面図である。
【００５１】
この態様の被服は、比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って膝蓋骨の周囲のほぼ１／４を取り囲んでいて膝蓋骨１の下側部分４の一部をカバーし、内側の腓腹筋及びヒラメ筋の側方５に至っており、膝関節上側においては、大腿部をほぼ薄筋２３に沿って股下近傍２４に至っている比較的緊締力の強い伸縮性部（Ａ２）１３１からなる比較的緊締力の強い伸縮性部を有している下肢部サポート用被服である。
【００５２】
上記参考態様とすることにより、比較的緊締力の強い伸縮性部１３１が膝蓋骨１の下側部分４の一部をカバーし膝蓋骨１を下側から引き上げるようにサポートでき膝関節の安定性を向上するとともに、更に大腿部の内側に存在する薄筋２３をサポートし、内側側副靭帯３をサポートしている比較的緊締力の強い伸縮性部を引っ張るようなパワーが強められ、より内側側副靭帯３のサポート力が向上した下肢部サポート用被服が提供でき好ましい。更に、内側側副靭帯の機能を補助している薄筋をサポートでき好ましい。
【００５３】
次に、図２９〜３２は、参考例としてのロングタイツタイプの下肢部サポート用被服の更に別の一参考実施態様を示す図であり、図２９はその背面図、図３０はその正面図、図３１は図３０のＡ−Ａ´ラインにおける断面図、図３２はその右側面図である。
【００５４】
この態様の被服は、比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って膝蓋骨の周囲のほぼ１／４を取り囲んでいて膝蓋骨１の下側部分４の一部をカバーし、内側の腓腹筋及びヒラメ筋の側方５に至っており、膝関節上側においては、大腿部をほぼ半腱様筋と薄筋の両者２５に沿って股下近傍２４並びに臀溝近傍２２に至っている比較的緊締力の強い伸縮性部（Ａ２）１３２からなる比較的緊締力の強い伸縮性部を有している下肢部サポート用被服である。
【００５５】
上記参考態様とすることにより、比較的緊締力の強い伸縮性部１３２が膝蓋骨１の下側部分４の一部をカバーし膝蓋骨１を下側から引き上げるようにサポートでき膝関節の安定性を向上するとともに、更に大腿部の内側に存在する半腱様筋と薄筋の両者２５をサポートし、内側側副靭帯３をサポートしている比較的緊締力の強い伸縮性部を引っ張るようなパワーが強められ、より内側側副靭帯３のサポート力が向上した下肢部サポート用被服が提供でき好ましい。更に、内側側副靭帯の機能を補助している半腱様筋と薄筋の両者をサポートでき好ましい。
【００５６】
次に、図３３〜３６は、参考例のロングタイツタイプの下肢部サポート用被服の更に別の一参考実施態様を示す図であり、図３３はその背面図、図３４はその正面図、図３５は図３４のＡ−Ａ´ラインにおける断面図、図３６はその右側面図である。
【００５７】
この態様の被服は、比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って膝蓋骨１の周囲のほぼ１／４を取り囲んでいて膝蓋骨１の下側部分の一部４をカバーし、内側の腓腹筋及びヒラメ筋の側方５に至っており、膝関節上側においては、大腿部を上方向に内側から後側を経て外側に向かい、且つほぼ半腱様筋及び半膜様筋２６に沿い、更に大腿二頭筋２７を斜めに通って大転子近傍８に至っている比較的緊締力の強い伸縮性部（Ａ３）１３３からなる比較的緊締力の強い伸縮性部を有している下肢部サポート用被服である
上記参考態様とすることにより、内側の腓腹筋及びヒラメ筋の側方５から上に伸び、大腿部内側から後側を経て外側に向かって斜めに大転子近傍８に至るまで螺旋状に比較的緊締力の強い伸縮性部（Ａ３）１３３が存在するので、膝蓋骨１を下側から引き上げるようにサポートでき膝関節の安定性を向上するとともに、内側側副靭帯３をサポートしている比較的緊締力の強い伸縮性部を引っ張るようなパワーが更に強められ、より内側側副靭帯３のサポート力が向上した下肢部サポート用被服が提供でき好ましい。更に、内側側副靭帯の機能を補助している半腱様筋及び半膜様筋をサポートでき好ましい。
【００５８】
次に、図３７〜４０は、参考例のロングタイツタイプの下肢部サポート用被服の更に別の一参考実施態様を示す図であり、図３７はその背面図、図３８はその正面図、図３９は図３８のＡ−Ａ´ラインにおける断面図、図４０はその右側面図である。
【００５９】
この態様の被服は図５〜８に示した態様の被服と図２１〜２４に示した態様の被服の特徴を併せて有する被服である。すなわち、比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨の下側部分の一部４をカバーし、内側の腓腹筋及びヒラメ筋の側方５に至っており、膝関節上側においては、大腿部をその内側から前側を通り外面に向かってほぼ縫工筋６に沿い更に大腿直筋のうちの上方部分７、大転子近傍８に至り（Ａ１）１２１、更に大転子近傍８から腸脛靭帯９に沿ってウェスト近傍１０にまで伸びている比較的緊締力の強い伸縮性部（Ａ１−１）１２２を有しているとともに、比較的緊締力の強い伸縮性部（Ａ１）１２１の膝関節上側において、分岐点３１から大腿部をほぼ半腱様筋２１に沿って臀溝近傍２２に至っている比較的緊締力の強い伸縮性部（Ａ２´）１４０を更に有している。
【００６０】
上記参考態様とすることにより、大腿部を内側から外側に向かって斜めに大転子８を越えてウェスト近傍１０に至るまで螺旋状に比較的緊締力の強い伸縮性部（Ａ１）１２１と（Ａ１−１）１２２が存在するとともに、膝関節上側において、二俣に分かれて、大腿部をほぼ半腱様筋２１沿って臀溝近傍２２に至っている比較的緊締力の強い伸縮性部（Ａ２´）１４０を更に有するので、内側側副靭帯３をサポートしている比較的緊締力の強い伸縮性部を引っ張るようなパワーがこの両者の作用により更に一層強められ、より内側側副靭帯３のサポート力が向上した下肢部サポート用被服が提供でき好ましい。更に、内側側副靭帯３の機能を補助している縫工筋６とともに半腱様筋２１の筋肉もサポートでき好ましい。更に大転子近傍８から腸脛靭帯９に沿ってウェスト近傍１０に至っている比較的緊締力の強い伸縮性部（Ａ１−１）１２２を有しているので、大転子を押さえる機能が付与されており、大腿骨頭と寛骨臼との結合を良好にし、股関節の安定性を向上させる機能が発揮され好ましい。
【００６１】
次に、図４１〜４４は、参考例のロングタイツタイプの下肢部サポート用被服の更に別の一参考実施態様を示す図であり、図４１はその背面図、図４２はその正面図、図４３は図４２のＡ−Ａ´ラインにおける断面図、図４４はその右側面図である。
【００６２】
この態様の被服は図５〜８に示した態様の被服と図２５〜２８に示した態様の被服の特徴を併せて有する被服である。すなわち、比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨の下側部分の一部４をカバーし、内側の腓腹筋及びヒラメ筋の側方５に至っており、膝関節上側においては、大腿部をその内側から前側を通り外面に向かってほぼ縫工筋６に沿い更に大腿直筋のうちの上方部分７、大転子近傍８に至り（Ａ１）１２１、更に大転子近傍８から腸脛靭帯９に沿ってウェスト近傍１０にまで伸びている比較的緊締力の強い伸縮性部（Ａ１−１）１２２を有しているとともに、比較的緊締力の強い伸縮性部（Ａ１）１２１の膝関節上側において、分岐点３１から大腿部をほぼ薄筋２３に沿って股下近傍２４に至っている比較的緊締力の強い伸縮性部（Ａ２´）１４１を更に有している。
【００６３】
上記参考態様とすることにより、大腿部を内側から外側に向かって斜めに大転子８を越えてウェスト近傍１０に至るまで螺旋状に比較的緊締力の強い伸縮性部（Ａ１）１２１と（Ａ１−１）１２２が存在するとともに、膝関節上側において、二俣に分かれて、大腿部をほぼ薄筋２３沿って股下近傍２４に至っている比較的緊締力の強い伸縮性部（Ａ２´）１４１を更に有するので、内側側副靭帯３をサポートしている比較的緊締力の強い伸縮性部を引っ張るようなパワーがこの両者の作用により更に一層強められ、より内側側副靭帯３のサポート力が向上した下肢部サポート用被服が提供でき好ましい。更に、内側側副靭帯３の機能を補助している縫工筋６とともに薄筋２３の筋肉もサポートでき好ましい。更に大転子近傍８から腸脛靭帯９に沿ってウェスト近傍１０に至っている比較的緊締力の強い伸縮性部（Ａ１−１）１２２を有しているので、大転子を押さえる機能が付与されており、大腿骨頭と寛骨臼との結合を良好にし、股関節の安定性を向上させる機能が発揮され好ましい。
【００６４】
次に、図４５〜４８は、参考例のロングタイツタイプの下肢部サポート用被服の更に別の一参考実施態様を示す図であり、図４５はその背面図、図４６はその正面図、図４７は図４６のＡ−Ａ´ラインにおける断面図、図４８はその右側面図である。
【００６５】
この態様の被服は比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って少なくとも膝蓋骨１の周囲のほぼ１／２強を取り囲んでいて膝蓋骨１の下側部分４と上側部分１１の一部をカバーし、内側の腓腹筋及びヒラメ筋の側方５に至っており、膝関節上側においては、大腿部をほぼ半腱様筋及び薄筋に沿って股下近傍２４ないし臀溝近傍２２に至っている比較的緊締力の強い伸縮性部（Ａ２´）１４２であり、更に、ウエスト近傍１０の脇側からほぼ腸脛靭帯９に沿って大転子近傍８を通り、ほぼ腸脛靭帯９に沿って膝蓋骨１の外側側部側に至り、膝蓋骨１の人体外側側部側のほぼ周囲近辺に沿って少なくとも膝蓋骨の周囲のほぼ１／２強を取り囲んでいて膝蓋骨１の下側部分３２と上側部分３３の一部をカバーし、外側の腓腹筋及びヒラメ筋の側方１５を通っている比較的緊締力の強い伸縮性部（Ｂ´）１４３を有している下肢部サポート用被服である。
【００６６】
そしてこの態様においては、比較的緊締力の強い伸縮性部（Ａ２´）１４２の膝蓋骨１の下側部分４と上側部分１１の一部をカバーしている人体内側方向に向いた２つの凸部の位置４と１１が、これと対向する比較的緊締力の強い伸縮性部（Ｂ´）１４３の膝蓋骨１の下側部分３２と上側部分３３の一部をカバーしている人体外側方向に向いた２つの凸部の位置３２、３３よりもそれぞれ若干下側にずれた位置にあり、且つ、比較的緊締力の強い伸縮性部（Ａ２´）１４２の膝蓋骨１の下側部分４を覆う正面側から見える面積が、大き目となっている。
【００６７】
上記参考態様とすることにより、大腿部前面側の外側広筋、内側広筋の活動を妨げないようにし、比較的緊締力の強い伸縮性部が、大腿部並びに下腿部の両側から膝と脚部をサポートし、しかも膝関節を包み込むように周囲からサポートしているので、より一層の膝関節のサポートを行うことができ、また、大転子８を押さえる機能が更に一層強化されており、大腿骨頭と寛骨臼との結合をより良好にし、股関節の安定性を向上させる機能がより強化され好ましい。
【００６８】
また、下腿部においては内側は筋肉が少なく、頸骨が体表面に接しており、一方、下腿部外側は腓腹筋が腓骨の外側に付いているので、より筋肉の少ない内側をより多く下から引き上げるように膝関節をサポートでき、内側側副靭帯のサポート力も強化され好ましい。
【００６９】
なお、上記したように、この態様においては、比較的緊締力の強い伸縮性部（Ａ２´）１４２の膝蓋骨１の下側部分４と上側部分１１の一部をカバーしている人体外側方向に向いた２つの凸部の位置４と１１が、これと対向する比較的緊締力の強い伸縮性部（Ｂ´）１４３の膝蓋骨１の下側部分３２と上側部分３３の一部をカバーしている人体内側方向に向いた２つの凸部の位置３２、３３は、凸部の位置４が凸部の位置３２よりも若干下側にずれた位置にあり、しかも凸部の位置１１が凸部の位置３３よりも若干下側にずれた位置にあることが、より筋肉の少ない内側をより多く下から引き上げるように膝関節をサポートでき、内側側副靭帯のサポート力も強化され好ましいが、凸部の位置４が凸部の位置３２と同じ高さの位置であったり、凸部の位置１１が凸部の位置３３と同じ高さの位置であったりすることは差し支えない。また、人体外側方向に向いた２つの凸部の位置４と１１が脚部前側の中心ラインより更に外側に突出しており、これと対向する凸部の位置３２と３３が脚部前側の中心ラインより更に内側に突出していてもよいし、あるいは２つの凸部の位置４と３２とが連結していたり、同様に凸部の位置１１と３３が連結した態様であってもかまわない。更には、凸部の位置４が凸部の位置３２よりも若干上側にずれた位置にあり、しかも凸部の位置１１が凸部の位置３３よりも若干上側にずれた位置にある態様とすることも可能である。
【００７０】
次に、図４９〜５２は、参考例のロングタイツタイプの下肢部サポート用被服の更に別の一参考実施態様を示す図であり、図４９はその背面図、図５０はその正面図、図５１は図５０のＡ−Ａ´ラインにおける断面図、図５２はその右側面図である。
【００７１】
この態様の被服は、図１７〜図２０で示した態様の被服の変形態様であり、図１７〜図２０で示した態様の被服に更に次に説明する比較的緊締力の強い伸縮性部（Ｃ）と（Ｄ）の応用タイプの比較的緊締力の強い伸縮性部が付加された態様である。従って、図１７〜図２０で示した態様と同じ部分の説明は、図面中に同一の符号を付することにより重複説明を省略している。図１７〜図２０で示した態様とほぼ同様の部分においても、若干異なる点があり、図１７〜図２０の比較的緊締力の強い伸縮性部（Ｂ）１２４は、外踝の上側１６にまで至っているが、図４９〜５２に示した態様の比較的緊締力の強い伸縮性部（Ｂ）１２４´は、外側の腓腹筋及びヒラメ筋１５の側方に至っているところで止まっており、外踝の上側１６にまで至っていない点が若干異なっている。
【００７２】
それ以外の点は、図１７〜図２０で示した態様の被服とほぼ同様であり、更に次に説明する比較的緊締力の強い伸縮性部が更に設けられている。
【００７３】
後側の人体の第４腰椎から仙骨に相当する位置３５に於いて左右部分が連結しており、前記位置３５から左右の大殿筋のほぼ中間部でほぼ大殿筋の筋繊維方向に沿って臀部の膨らみの頂点又はその近傍を通り少なくとも大転子８近傍に至る部分をカバーしている比較的緊締力の強い伸縮性部（Ｃ）１４５を有し、ほぼウェスト部の後中心位置近傍に於いて左右部分が連結しており、前記ウェスト部の後中心位置近傍から左右の広背筋及び中殿筋及び外腹斜筋の一部に当接され少なくとも脇位置までの部分をカバーしている比較的緊締力の強い伸縮性部１４６を有しているので、比較的緊締力の強い伸縮性部（Ｃ）１４５により、しっかりと大殿筋をその筋繊維方向にサポートすることができる。従って、腰の回旋運動をサポートし腰の回旋角度の減少を防止し、骨盤の前後方向への安定に大きな役割をはたすことができ、高齢者においては転倒の防止に有効である。また、走行、ジャンプ、スロープを上る際の股関節の前後方向への伸展に大きな役割をはたすことができる。また、比較的緊締力の強い伸縮性部１４６により、ウェスト部の後中心位置近傍から左右の広背筋及び中殿筋及び外腹斜筋をより強力にサポートし、骨盤の後傾を防止し、骨盤の位置を安定した位置に保つ機能を補助する機能を発揮できる。
【００７４】
また、この態様の被服は、更に、腹部の腹直筋３６上に於いて左右部分が連結しており、前記下腹部の腹直筋上の位置から左右の内腹斜筋のほぼ筋繊維方向に沿って斜め下方向に向かい大転子８近傍に至る部分をカバーしている比較的緊締力の強い伸縮性部（Ｄ）１４７と、腹部の腹直筋３６上に於いて左右部分が連結しており、前記下腹部の腹直筋３６上から左右の外腹斜筋のほぼ筋繊維方向に沿って斜め上方に向かい少なくとも脇までの部分をカバーしている比較的緊締力の強い伸縮性部１４８を有している。
【００７５】
従って、比較的緊締力の強い伸縮性部（Ｄ）１４７により腹直筋の一部と内腹斜筋をサポートし、腰椎の前湾を弱め、良好な姿勢を保持し、体型が若々しく見え、腰痛などの痛みの発生を予防しうる機能を付与しうる。また、比較的緊締力の強い伸縮性部１４８により、腹直筋の一部と外腹斜筋をサポートし、腰椎の前湾を弱め、良好な姿勢を保持し、体型が若々しく見え、腰痛などの痛みの発生を予防しうる機能を付与しうる。
【００７６】
なお、このような比較的緊締力の強い伸縮性部（Ｃ）１４５、１４６、（Ｄ）１４７あるいは１４８等は必要に応じて他の態様の被服の比較的緊締力の強い伸縮性部にも適用できることは勿論である。
【００７７】
次に、図５３〜５６は、参考例のロングタイツタイプの下肢部サポート用被服の更に別の一参考実施態様を示す図であり、図５３はその背面図、図５４はその正面図、図５５は図５４のＡ−Ａ´ラインにおける断面図、図５６はその右側面図である。
【００７８】
この態様の被服は、膝関節の内側側面の側副靭帯３より上側に伸びている比較的緊締力の強い伸縮性部は、図１〜４に示された下肢部サポート用被服とほぼ同一であるが、それより下側に伸びる比較的緊締力の強い伸縮性部の位置が図１〜４の被服と異なっている。即ち、比較的緊締力の強い伸縮性部（Ａ）で表わされる部分２が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨の下側部分の一部４をカバーしているが、それから下に伸びる比較的緊締力の強い伸縮性部１５０は、下肢部前面を斜め外側に外踝方向１６´に向かって伸びている。比較的緊締力の強い伸縮性部１５０は、膝関節上側においては、大腿部をその内側から前側を通り外面に向かってほぼ縫工筋６に沿い更に大腿直筋のうちの上方部分７を通り、大転子近傍８に至っている。
【００７９】
したがって、膝関節上側の部分は、図１〜４の場合と同様の機能を発揮すると共に、内側側副靭帯３を上下部分とも斜め外側に引っ張るように緊締力が作用するので、内側側副靭帯３をよりしっかりとサポートすることが出来る。
【００８０】
次に、図５７〜６０は、参考例のロングタイツタイプの下肢部サポート用被服の更に別の一参考実施態様を示す図であり、図５７はその背面図、図５８はその正面図、図５９は図５８のＡ−Ａ´ラインにおける断面図、図６０はその右側面図である。
【００８１】
この態様の被服は、比較的緊締力の強い伸縮性部１５１が膝蓋骨１の下方を取り巻いている態様は図１３〜図１６に示した態様とよく似ている。異なる点は、比較的緊締力の強い伸縮性部が、内側の腓腹筋側方から膝蓋骨の下側の周囲近辺１２を通って斜め上方に向かい膝蓋骨１の外側側方１３を通り更に外側広筋３７及び腸脛靭帯９に沿って上方に伸びていて、大腿部をその内側から前側を通り外面に向かってほぼ縫工筋６に沿い更に大腿直筋のうちの上方部分７を通り更に大転子近傍８から腸脛靭帯９に沿ってウェスト近傍１０に至っている比較的緊締力の強い伸縮性部と合流点３８で合流している点である。
【００８２】
この態様とすることにより、図１３〜図１６で示した被服と同様の機能が発揮されると共に、膝関節をより安定にサポートすることが出来る。また、図１３〜図１６で示した被服に比べて、更に大転子近傍８から腸脛靭帯９に沿ってウェスト近傍１０に至っている比較的緊締力の強い伸縮性部を有するので、大転子８をより強く押さえる機能が強化されており、大腿骨頭と寛骨臼との結合を良好にし、従って、更に股関節の安定性を向上させる機能が発揮され好ましい。
【００８３】
次に、図６１〜６４は、参考例のロングタイツタイプの下肢部サポート用被服の更に別の一参考実施態様を示す図であり、図６１はその背面図、図６２はその正面図、図６３は図６２のＡ−Ａ´ラインにおける断面図、図６４はその右側面図である。
【００８４】
この態様の被服は、図５７〜図６０に示した態様の変形態様であり、図５７〜図６０に示した態様の比較的緊締力の強い伸縮性部１５１に更に、分岐点３９から下方に向かって、外側の腓腹筋及びヒラメ筋の側方を通り、外踝の上方１６に至る比較的緊締力の強い伸縮性部１５２が更に設けられている点である。
【００８５】
この態様とすることにより、図５７〜図６０で示した被服と同様の機能が発揮されると共に、腓腹筋及びヒラメ筋の活動を阻害せずに、腓腹筋及びヒラメ筋を脇側からサポートすることが出来好ましい。
【００８６】
次に、図６５〜６８は、参考例のロングタイツタイプの下肢部サポート用被服の更に別の一参考実施態様を示す図であり、図６５はその背面図、図６６はその正面図、図６７は図６６のＡ−Ａ´ラインにおける断面図、図６８はその右側面図である。
【００８７】
この態様の被服は、図１３〜図１６に示した態様の変形応用態様である。比較的緊締力の強い伸縮性部１５３が膝蓋骨１の周囲を完全に取り巻いている点が特徴である。このことにより、膝の安定性をより一層向上させている。尚、比較的緊締力の強い伸縮性部１５３の上記以外の点は、図１３〜図１６に示した態様比較的緊締力の強い伸縮性部と同様の態様である。
【００８８】
この態様とすることにより、図１３〜図１６で示した被服と同様の機能が発揮されると共に、上述したように、膝関節をより安定にサポートすることが出来る。
【００８９】
次に、図６９〜７２は、参考例のロングタイツタイプの下肢部サポート用被服の更に別の一参考実施態様を示す図であり、図６９はその背面図、図７０はその正面図、図７１は図７０のＡ−Ａ´ラインにおける断面図、図７２はその右側面図である。
【００９０】
この態様の被服は、図１〜図４に示した態様の変形応用態様である。すなわち、比較的緊締力の強い伸縮性部（Ａ）で表わされる部分２が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨の下側部分の一部４をカバーし、内側の腓腹筋及びヒラメ筋の側方５に至っており、膝関節上側においては、大腿部をその内側から前側を通り外面に向かってほぼ縫工筋６に沿い更に大腿直筋のうちの上方部分７を通り、大転子近傍８に至っている比較的緊締力の強い伸縮性部（Ａ１）１２１からなる比較的緊締力の強い伸縮性部を有している点は、図１〜４の下肢部サポート用被服と共通しており、この態様においては、更に略三角形状の比較的緊締力の強い伸縮性部１５４が膝蓋骨１の外側下側に設けられており、比較的緊締力の強い伸縮性部１２１の膝蓋骨１の下側部分の一部４の凸部の頂点と比較的緊締力の強い伸縮性部１５４の頂点４０とが膝蓋骨１の下で接しており、左右および下方から膝をサポートしている。従って図１〜４の下肢部サポート用被服と同様の機能を発揮しうると共に、膝を下からサポートする機能が強化されている。尚、比較的緊締力の強い伸縮性部１２１の膝蓋骨１の下側部分の一部４の凸部の頂点と比較的緊締力の強い伸縮性部１５４の頂点４０とは頂点で接するだけでなく、互いに重なり合った形になっていてもよい。
【００９１】
次に、図７３〜７６は、参考例のロングタイツタイプの下肢部サポート用被服の更に別の一参考実施態様を示す図であり、図７３はその背面図、図７４はその正面図、図７５は図７４のＡ−Ａ´ラインにおける断面図、図７６はその右側面図である。
【００９２】
この態様の被服は、図５〜図８に示した態様の変形応用態様である。すなわち、比較的緊締力の強い伸縮性部（Ａ）で表わされる部分２が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨の下側部分の一部４をカバーし、内側の腓腹筋及びヒラメ筋の側方５から更に内側の腓腹筋及びヒラメ筋の下方の側方４１を通り内踝上方４２に至っており、膝関節上側においては、大腿部をその内側から前側を通り外面に向かってほぼ縫工筋６に沿い更に大腿直筋のうちの上方部分７を通り、大転子近傍８を経由して腸脛靭帯９に沿ってウェスト近傍１０にまで伸びている比較的緊締力の強い伸縮性部１２１＋１２２と類似した比較的緊締力の強い伸縮性部１２２´を有する。比較的緊締力の強い伸縮性部１２２´が、図５〜図８の比較的緊締力の強い伸縮性部１２１＋１２２と若干異なる点は、比較的緊締力の強い伸縮性部１２２´が、内側の腓腹筋及びヒラメ筋の側方５から更に内側の腓腹筋及びヒラメ筋の下方の側方４１を通り内踝上方４２に至っている点である。
【００９３】
そしてこの態様においては、更に、膝蓋骨１の上方から、膝蓋骨１の外側を回り膝蓋骨の下方３２をカバーし、更に外側の腓腹筋及びヒラメ筋の側方４３を通り下方の外踝上方１６に至っている比較的緊締力の強い伸縮性部１５５を更に有している。
【００９４】
従って、図５〜図８の態様の被服と同等の機能を発揮出来、更に、膝関節を内側と外側からサポートし、より膝関節の安定なサポートに寄与するとともに、比較的緊締力の強い伸縮性部が、腓腹筋及びヒラメ筋の内側と外側の側方を通っているので、腓腹筋及びヒラメ筋の活動を阻害せずにこれらの筋肉をサポート出来好ましい。
【００９５】
次に、図７７〜８０は、参考例のロングタイツタイプの下肢部サポート用被服の更に別の一参考実施態様を示す図であり、図７７はその背面図、図７８はその正面図、図７９は図７８のＡ−Ａ´ラインにおける断面図、図８０はその右側面図である。
【００９６】
この態様の被服は、図９〜図１２に示した態様の応用態様である。すなわち、比較的緊締力の強い伸縮性部（Ａ）で表わされる部分２が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨の下側部分の一部４と膝蓋骨１の上側部分１１の一部をカバーし内側の腓腹筋及びヒラメ筋の側方５から更に内側の腓腹筋及びヒラメ筋の下方の側方４１を通り下方の内踝上方４２に至っており、膝関節上側においては、大腿部をその内側から前側を通り外面に向かってほぼ縫工筋６に沿い更に大腿直筋のうちの上方部分７を通り、大転子近傍８を経由して腸脛靭帯９に沿ってウェスト近傍１０にまで伸びている比較的緊締力の強い伸縮性部１２１＋１２２と類似した比較的緊締力の強い伸縮性部１５６を有する。比較的緊締力の強い伸縮性部１５６が、図９〜図１２の比較的緊締力の強い伸縮性部１２１＋１２２と若干異なる点は、比較的緊締力の強い伸縮性部１５６の内側下方部分が内側の腓腹筋及びヒラメ筋の側方５から更に内側の腓腹筋及びヒラメ筋の下方の側方４１を通り内踝上方４２に至っている点である。
【００９７】
そして、本態様の被服が、図９〜図１２の被服の態様と大きく異なる点は、本態様の被服の比較的緊締力の強い伸縮性部１５６が、分岐点４４から、更に、脚部外側を下降して外踝１６に至る部分をカバーしている点である。すなわち、比較的緊締力の強い伸縮性部１５６は、分岐点４４から、更に、ほぼ腸脛靭帯９に沿って膝蓋骨１の外側側部側に至り、膝蓋骨１の人体外側側部側のほぼ周囲近辺に沿って少なくとも膝蓋骨の周囲のほぼ１／２強を取り囲んでいて膝蓋骨１の下側部分３２と上側部分３３の一部をカバーし、外側の腓腹筋及びヒラメ筋の側方４３を通り下方の外踝上方１６に至っている。
【００９８】
上記参考態様とすることにより、図９〜図１２の態様の被服と同等の機能を発揮出来、更に、内側側副靭帯３をサポートしている比較的緊締力の強い伸縮性部を引っ張るようなパワーが更に一層強められ、より一層内側側副靭帯３のサポート力を向上させることができるとともに、膝関節を内側と外側からサポートし、より膝関節の安定なサポートに寄与できる。更に比較的緊締力の強い伸縮性部が、腓腹筋及びヒラメ筋の内側と外側の側方を通っているので、腓腹筋及びヒラメ筋の活動を阻害せずにこれらの筋肉をサポート出来好ましい。
【００９９】
次に、図８１〜８４は、参考例のロングタイツタイプの下肢部サポート用被服の更に別の一参考実施態様を示す図であり、図８１はその背面図、図８２はその正面図、図８３は図８２のＡ−Ａ´ラインにおける断面図、図８４はその右側面図である。
【０１００】
この態様の被服は、図１７〜図２０で示した態様の被服の変形態様であり、図１７〜図２０で示した態様の被服において、比較的緊締力の強い伸縮性部（Ａ）１２１と比較的緊締力の強い伸縮性部（Ｂ）１２４′が膝蓋骨の下側で接している態様である。従って、図１７〜図２０で示した態様と同じ部分の説明は、図面中に同一の符号を付することにより重複説明を省略している。図１７〜図２０で示した態様とほぼ同様の部分においても、若干異なる点があり、図１７〜図２０の比較的緊締力の強い伸縮性部（Ｂ）１２４は、外踝の上側１６にまで至っているが、図８１〜８４に示した態様の比較的緊締力の強い伸縮性部（Ｂ）１２４´は、外側の腓腹筋及びヒラメ筋１５の側方に至っているところで止まっており、外踝の上側１６にまで至っていない点が若干異なっている。
【０１０１】
上述以外の点は、図１７〜図２０で示した態様の被服とほぼ同様である。
【０１０２】
すなわち、比較的緊締力の強い伸縮性部１２１の膝蓋骨１の下側部分の一部４の凸部の頂点と比較的緊締力の強い伸縮性部１２４′の膝蓋骨１の下側部分の一部１４の凸部の頂点とが膝蓋骨１の下で接しており、左右および下方から膝をサポートしている。従って図１７〜２０の下肢部サポート用被服と同様の機能を発揮しうると共に、膝を下からサポートする機能が強化されている。
【０１０３】
次に、図８５〜８８は、参考例のロングタイツタイプの下肢部サポート用被服の更に別の一参考実施態様を示す図であり、図８５はその背面図、図８６はその正面図、図８７は図８８のＡ−Ａ´ラインにおける断面図、図８８はその右側面図である。
【０１０４】
この態様の被服は、図８１〜図８４で示した態様の被服の変形態様であり、図８１〜図８４で示した態様の被服において、比較的緊締力の強い伸縮性部（Ａ）１２１と比較的緊締力の強い伸縮性部（Ｂ）１２４′が膝蓋骨の下側で接している部分が点接触ではなくやや広幅になって連結している態様である。従って、図８１〜図８４で示した態様と同じ部分の説明は、図面中に同一の符号を付することにより重複説明を省略している。
【０１０５】
すなわち、比較的緊締力の強い伸縮性部１２１の膝蓋骨１の下側部分の一部４と比較的緊締力の強い伸縮性部１２４′の膝蓋骨１の下側部分の一部１４とが膝蓋骨１の下で連結しており、左右および下方から膝をサポートしている。従って図８１〜８４の下肢部サポート用被服と同様の機能を発揮しうると共に、膝を下からサポートする機能が一層強化されている。
【０１０６】
尚、この態様の場合、比較的緊締力の強い伸縮性部を形成するのに、被服本体に所定形状の伸縮性生地を重ね合わせてそれを縫合することにより形成する場合等には、比較的緊締力の強い伸縮性部１２１の膝蓋骨１の下側部分の一部４と比較的緊締力の強い伸縮性部１２４′の膝蓋骨１の下側部分の一部１４との連結は、比較的緊締力の強い伸縮性部１２１と比較的緊締力の強い伸縮性部１２４′を連続した１枚の布で形成してあらかじめこの部分が連結された１体の生地を用いてもよいし、比較的緊締力の強い伸縮性部１２１と比較的緊締力の強い伸縮性部１２４′とはそれぞれ別個の生地で作成し、当該別個の生地の４と１４で示した部分が重ねられて縫合されることにより連結部が形成されたものでもよい。
【０１０７】
以上、ロングタイツタイプの下肢部サポート用被服についての具体例を挙げて本発明について説明したが、本発明の目的が阻害されない限り、本発明のロングタイツタイプの下肢部サポート用被服において、必要に応じて上半身部分が更に付加された設計にすることを何ら除外するものではない。
【０１０８】
次に、下肢部サポート用被服として、股部を有しウエストラインから膝下までの長さを有する下肢部サポート用被服（以下、これらをセミロングタイツタイプと略称することがある。）の実施の形態について、図面を参照しながら説明する。なお、前述したように、「少なくとも膝下までの長さを有する」とは、少なくとも膝蓋骨の下端ないしはそれより下まで裾が伸びていることを意味し、好ましくは、裾の位置が、少なくとも膝蓋骨の下端より３〜５ｃｍまで伸びているものが好ましい。また、特に限定するものではないが、最も裾が長いものでも被服の下端の位置は、好ましくは膝関節から下方の下腿部の長さの半分までの位置か又はそれより上であることが好ましい。但し、本発明はこれより更に長い裾丈を有するものを排除するものではない。
【０１０９】
図８９〜９２は、本発明のセミロングタイツタイプの下肢部サポート用被服の一実施態様を示す図であり、図８９はその背面図、図９０はその正面図、図９１は図９０のＡ−Ａ´ラインにおける断面図、図９２はその右側面図である。
【０１１０】
この態様の被服は、図５〜図８に示したロングタイツタイプの下肢部サポート用被服において、比較的緊締力の強い伸縮性部１２１の膝蓋骨１の下側部分の一部４のところでそれより下側部分がカットされた設計のセミロングタイツタイプの下肢部サポート用被服に相当するものである。
【０１１１】
すなわち、比較的緊締力の強い伸縮性部（Ａ）で表わされる部分２が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨の下側部分の一部４をカバーしており、膝関節上側においては、大腿部をその内側から前側を通り外面に向かってほぼ縫工筋６に沿い更に大腿直筋のうちの上方部分７を通り、大転子近傍８に至る比較的緊締力の強い伸縮性部（Ａ2１）１２１ａと更に大転子近傍８から腸脛靭帯９に沿ってウェスト近傍１０にまで伸びている比較的緊締力の強い伸縮性部（Ａ2１−１）１２２ａを有する。なお、この実施態様における裾の下端は膝蓋骨の下端より５ｃｍの位置にある。（以下のセミロングタイツタイプの実施態様についても特に断らない限り、裾の下端の位置については同様である。）
図８９〜９２に示されたセミロングタイツタイプの本発明の下肢部サポート用被服は、上記本発明の好ましい態様とすることにより、比較的緊締力の強い伸縮性部（Ａ2１）１２１ａが膝蓋骨１の下側部分の一部４をカバーし膝蓋骨１を下側から引き上げるようにサポートでき膝関節の安定性を向上するとともに、更に縫工筋６をサポートし、大腿部を内側から外側に向かって斜めに大転子８に至るまで螺旋状に比較的緊締力の強い伸縮性部１２１ａが存在するので、内側側副靭帯３をサポートしている比較的緊締力の強い伸縮性部を引っ張るようなパワーが更に一層強められ、より内側側副靭帯３のサポート力が向上した下肢部サポート用被服が提供でき好ましい。そして更に、内側側副靭帯３の機能を補助している縫工筋６をサポートでき好ましい。また１２１ａが更に上方に伸びて大転子近傍８から腸脛靭帯９に沿ってウェスト近傍１０に至っている比較的緊締力の強い伸縮性部（Ａ2１−１）１２２ａを有しているので、大転子８をより強く押さえる機能が強化されており、大腿骨頭と寛骨臼との結合を良好にし、従って、更に股関節の安定性を向上させる機能が発揮され好ましい。
【０１１２】
次に、図９３〜９６は、参考例のセミロングタイツタイプの下肢部サポート用被服の更に別の一参考実施態様を示す図であり、図９３はその背面図、図９４はその正面図、図９５は図９４のＡ−Ａ´ラインにおける断面図、図９６はその右側面図である。
【０１１３】
この態様の被服は、図８９〜図９２で示した態様の被服の変形態様であり、図８９〜図９２で示した態様の被服に更に次に説明する比較的緊締力の強い伸縮性部（Ｂ2）１２４ａが付加された態様である。すなわち、更に、大転子近傍８から下側に向かって、ほぼ腸脛靭帯９に沿って膝蓋骨１の外側側部側に至り、膝蓋骨の外側から下側部分１４の一部をカバーしている比較的緊締力の強い伸縮性部（Ｂ2）１２４ａを有している。比較的緊締力の強い伸縮性部（Ｂ2）１２４ａが比較的緊締力の強い伸縮性部（Ａ2１）１２１ａと合体した上方部分（Ａ2１−１）１２２ａの部分は、図８９〜９２に示したものに比べて比較的緊締力の強い伸縮性部の幅が若干太くなっている。
【０１１４】
上記参考態様とすることにより、図８９〜９２に示した下肢部サポート用被服と同様の機能が発揮されるとともに、比較的緊締力の強い伸縮性部（Ｂ2）１２４ａを更に有しているので、膝を両側からサポートでき、膝関節のサポートがより強化される。また、大転子８を押さえる機能が更に一層強化されており、大腿骨頭と寛骨臼との結合をより良好にし、股関節の安定性を向上させる機能がより強化される。
【０１１５】
次に、図９７〜１００は、参考例のセミロングタイツタイプの下肢部サポート用被服の更に別の一参考実施態様を示す図であり、図９７はその背面図、図９８はその正面図、図９９は図９８のＡ−Ａ´ラインにおける断面図、図１００はその右側面図である。
【０１１６】
この態様の被服は、図２１〜図２４で示したロングタイツタイプの下肢部サポート用被服において、比較的緊締力の強い伸縮性部１２１の膝蓋骨１の下側部分の一部４のところでそれより下側部分がカットされた設計のセミロングタイツタイプの下肢部サポート用被服に相当するものである。
【０１１７】
比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って少なくとも膝蓋骨１の周囲のほぼ１／４を取り囲んでいて膝蓋骨１の下側部分の一部４をカバーし、内側の腓腹筋の上部側方に至っており、膝関節上側においては、大腿部をほぼ半腱様筋２１に沿って臀溝近傍２２に至っている比較的緊締力の強い伸縮性部（Ａ2２）１３０ａからなる比較的緊締力の強い伸縮性部を有している下肢部サポート用被服である。
【０１１８】
上記参考態様とすることにより、比較的緊締力の強い伸縮性部１３０ａが膝蓋骨の下側部分の一部４をカバーし膝蓋骨１を下側から引き上げるようにサポートでき膝関節の安定性を向上するとともに、更に大腿部の内側に存在する半腱様筋２１をサポートし、内側側副靭帯３をサポートしている比較的緊締力の強い伸縮性部を引っ張るようなパワーが強められ、より内側側副靭帯３のサポート力が向上した下肢部サポート用被服が提供でき好ましい。更に、内側側副靭帯の機能を補助している半腱様筋をサポートでき好ましい。
【０１１９】
次に、図１０１〜１０４は、参考例のセミロングタイツタイプの下肢部サポート用被服の更に別の一参考実施態様を示す図であり、図１０１はその背面図、図１０２はその正面図、図１０３は図１０２のＡ−Ａ´ラインにおける断面図、図１０４はその右側面図である。
【０１２０】
この態様の被服は、図２５〜図２８で示したロングタイツタイプの下肢部サポート用被服において、比較的緊締力の強い伸縮性部１３１の膝蓋骨１の下側部分の一部４のところでそれより下側部分がカットされた設計のセミロングタイツタイプの下肢部サポート用被服に相当するものである。
【０１２１】
比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って少なくとも膝蓋骨１の周囲のほぼ１／４を取り囲んでいて膝蓋骨１の下側部分の一部４をカバーし、内側の腓腹筋の上部側方に至っており、膝関節上側においては、大腿部をほぼ薄筋２３に沿って股下近傍２４に至っている比較的緊締力の強い伸縮性部１３１ａからなる比較的緊締力の強い伸縮性部を有している下肢部サポート用被服である。
【０１２２】
上記参考態様とすることにより、比較的緊締力の強い伸縮性部１３１ａが膝蓋骨の下側部分の一部４をカバーし膝蓋骨１を下側から引き上げるようにサポートでき膝関節の安定性を向上するとともに、更に大腿部の内側に存在する薄筋２３をサポートし、内側側副靭帯３をサポートしている比較的緊締力の強い伸縮性部を引っ張るようなパワーが強められ、より内側側副靭帯３のサポート力が向上した下肢部サポート用被服が提供でき好ましい。更に、内側側副靭帯の機能を補助している薄筋をサポートでき好ましい。
【０１２３】
次に、図１０５〜１０８は、参考例のセミロングタイツタイプの下肢部サポート用被服の更に別の一参考実施態様を示す図であり、図１０５はその背面図、図１０６はその正面図、図１０７は図１０６のＡ−Ａ´ラインにおける断面図、図１０８はその右側面図である。
【０１２４】
この態様の被服は、図４５〜図４８で示したロングタイツタイプの下肢部サポート用被服において、膝蓋骨１の外側の下側部分の一部３２のところでそれより下側部分がカットされた設計のセミロングタイツタイプの下肢部サポート用被服に相当するものである。
【０１２５】
この態様の被服は比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って少なくとも膝蓋骨１の周囲のほぼ１／２強を取り囲んでいて膝蓋骨１の下側部分４と上側部分１１の一部をカバーし、内側の腓腹筋の上部側方に至っており、膝関節上側においては、大腿部をほぼ半腱様筋及び薄筋に沿って股下近傍２４ないし臀溝近傍２２に至っている比較的緊締力の強い伸縮性部（Ａ2２´）１４２ａであり、更に、ウエスト近傍１０の脇側からほぼ腸脛靭帯９に沿って大転子近傍８を通り、ほぼ腸脛靭帯９に沿って膝蓋骨１の外側側部側に至り、膝蓋骨１の人体外側側部側のほぼ周囲近辺に沿って膝蓋骨の周囲のほぼ１／２強を取り囲んでいて膝蓋骨１の下側部分３２と上側部分３３の一部をカバーし、外側の腓腹筋の上部側方に至っている比較的緊締力の強い伸縮性部（Ｂ2´）１４３ａを有している下肢部サポート用被服である。
【０１２６】
そしてこの態様においては、比較的緊締力の強い伸縮性部（Ａ2２´）１４２ａの膝蓋骨１の下側部分４と上側部分１１の一部をカバーしている人体内側方向に向いた２つの凸部の位置４と１１が、これと対向する比較的緊締力の強い伸縮性部（Ｂ2´）１４３ａの膝蓋骨１の下側部分３２と上側部分３３の一部をカバーしている人体外側方向に向いた２つの凸部の位置３２、３３よりもそれぞれ若干下側にずれた位置にあり、且つ、比較的緊締力の強い伸縮性部（Ａ2２´）１４２ａの膝蓋骨１の下側部分４を覆う正面側から見える面積が、大き目となっている。
【０１２７】
上記参考態様とすることにより、大腿部前面側の外側広筋、内側広筋の活動を妨げないようにし、比較的緊締力の強い伸縮性部が、大腿部並びに下腿部の両側から膝と脚部をサポートし、しかも膝関節を包み込むように周囲からサポートしているので、より一層の膝関節のサポートを行うことができ、また、大転子８を押さえる機能が更に一層強化されており、大腿骨頭と寛骨臼との結合をより良好にし、股関節の安定性を向上させる機能がより強化され好ましい。
【０１２８】
また、下腿部においては内側は筋肉が少なく、頸骨が体表面に接しており、一方、下腿部外側は腓腹筋が腓骨の外側に付いているので、より筋肉の少ない内側をより多く下から引き上げるように膝関節をサポートでき、内側側副靭帯のサポート力も強化され好ましい。
【０１２９】
なお、上記したように、この態様においては、比較的緊締力の強い伸縮性部（Ａ2２´）１４２ａの膝蓋骨１の下側部分４と上側部分１１の一部をカバーしている人体外側方向に向いた２つの凸部の位置４と１１が、これと対向する比較的緊締力の強い伸縮性部（Ｂ2´）１４３ａの膝蓋骨１の下側部分３２と上側部分３３の一部をカバーしている人体内側方向に向いた２つの凸部の位置３２、３３は、凸部の位置４が凸部の位置３２よりも若干下側にずれた位置にあり、しかも凸部の位置１１が凸部の位置３３よりも若干下側にずれた位置にあることが、より筋肉の少ない内側をより多く下から引き上げるように膝関節をサポートでき、内側側副靭帯のサポート力も強化され好ましいが、凸部の位置４が凸部の位置３２と同じ高さの位置であったり、凸部の位置１１が凸部の位置３３と同じ高さの位置であったりすることは何ら差し支えない。また、人体外側方向に向いた２つの凸部の位置４と１１が脚部前側の中心ラインより更に外側に突出しており、これと対向する凸部の位置３２と３３が脚部前側の中心ラインより更に内側に突出していてもよいし、あるいは２つの凸部の位置４と３２とが連結していたり、同様に凸部の位置１１と３３が連結した態様であってもかまわない。また、凸部の位置４が凸部の位置３２よりも若干上側にずれた位置にあり、しかも凸部の位置１１が凸部の位置３３よりも若干上側にずれた位置にある態様とすることも可能である。
【０１３０】
次に、図１０９〜１１２は、参考例のセミロングタイツタイプの下肢部サポート用被服の更に別の一参考実施態様を示す図であり、図１０９はその背面図、図１１０はその正面図、図１１１は図１１０のＡ−Ａ´ラインにおける断面図、図１１２はその右側面図である。
【０１３１】
この態様の被服は、図９３〜図９６で示した態様の被服の変形態様であり、図９３〜図９６で示した態様の被服において、比較的緊締力の強い伸縮性部（Ａ2１）１２１ａと比較的緊締力の強い伸縮性部（Ｂ2）１２４ａが膝蓋骨の下側で接している態様である。従って、図９３〜図９６で示した態様と同じ部分の説明は、図面中に同一の符号を付することにより重複説明を省略している。
【０１３２】
上記以外の点は、図９３〜図９６で示した態様の被服とほぼ同様である。
【０１３３】
すなわち、比較的緊締力の強い伸縮性部１２１ａの膝蓋骨１の下側部分の一部４の凸部の頂点と比較的緊締力の強い伸縮性部１２４ａの膝蓋骨１の下側部分の一部１４の凸部の頂点とが膝蓋骨１の下で接している。従って図９３〜９６の下肢部サポート用被服と同様の機能を発揮しうると共に、４と１４で示した部分が接しているので、膝下部の被服の端部の位置が膝下部に安定してとどまり、ずれ上がりなどの着崩れが生じにくい。
【０１３４】
次に、図１１３〜１１６は、参考例のセミロングタイツタイプの下肢部サポート用被服の更に別の一参考実施態様を示す図であり、図１１３はその背面図、図１１４はその正面図、図１１５は図１１４のＡ−Ａ´ラインにおける断面図、図１１６はその右側面図である。
【０１３５】
この態様の被服は、図１０９〜図１１２で示した態様の被服の変形態様であり、図１０９〜図１１２で示した態様の被服において、比較的緊締力の強い伸縮性部（Ａ2１）１２１ａと比較的緊締力の強い伸縮性部（Ｂ2）１２４ａが膝蓋骨の下側で接している部分が点接触ではなくやや広幅になって連結している態様である。従って、図１０９〜図１１２で示した態様と同じ部分の説明は、図面中に同一の符号を付することにより重複説明を省略している。
【０１３６】
すなわち、比較的緊締力の強い伸縮性部１２１ａの膝蓋骨１の下側部分の一部４と比較的緊締力の強い伸縮性部１２４ａの膝蓋骨１の下側部分の一部１４とが膝蓋骨１の下で連結しており、左右および下方から膝をサポートしている。従って図１０９〜１１２の下肢部サポート用被服と同様の機能を発揮しうると共に、膝を下からサポートする機能がやや強化されている。
【０１３７】
尚、この態様の場合、比較的緊締力の強い伸縮性部を形成するのに、被服本体に所定形状の伸縮性生地を重ね合わせてそれを縫合することにより形成する場合等には、比較的緊締力の強い伸縮性部１２１ａの膝蓋骨１の下側部分の一部４と比較的緊締力の強い伸縮性部１２４ａの膝蓋骨１の下側部分の一部１４との連結は、比較的緊締力の強い伸縮性部１２１ａと比較的緊締力の強い伸縮性部１２４ａを連続した１枚の布で形成してあらかじめこの部分が連結された１体の生地を用いてもよいし、比較的緊締力の強い伸縮性部１２１ａと比較的緊締力の強い伸縮性部１２４ａとはそれぞれ別個の生地で作成し、当該別個の生地の４と１４で示した部分が重ねられて縫合されることにより連結部が形成されたものでもよい。
【０１３８】
以上、セミロングタイツタイプの下肢部サポート用被服について、いくつかの実施態様を図面を用いて説明したが、これに限定されるものではなく、例えば、先に図示した各種のロングタイツタイプの下肢部サポート用被服を、膝下より下方部分をカットした設計にして、セミロングタイツタイプとして適用することもできる。
【０１３９】
また、本発明の目的が阻害されない限り、本発明のセミロングタイツタイプの下肢部サポート用被服において、必要に応じて上半身部分が更に付加された設計にすることを何ら除外するものではない。あるいは本発明の踝丈の下肢部サポート用被服において、必要に応じて、足底を横切り、両裾端を連結する布が設けられているものなども何ら除外するものではない。
【０１４０】
尚、本発明のロングタイツタイプあるいはセミロングタイツタイプの下肢部サポート用被服においても、膝関節の内側側面の側副靭帯上に存在する比較的緊締力の強い伸縮性部の少なくとも前記側副靭帯上の領域を、被服本体の縫製ラインが通っていないことが好ましい。
【０１４１】
すなわち、本発明のロングタイツタイプあるいはセミロングタイツタイプのいずれのタイプの下肢部サポート用被服においても、脚部を覆う部分を筒状に形成する必要があるが、脚部を筒状に形成するには、例えば平面状の生地を筒状に丸めて生地の一方の縁と他方の縁同士を縫合するなどの手法が用いられる。このように縫合によって生地を筒状にする場合、従来法は、通常、この縫合ラインは脚部内側を通るように縫製されているのが一般的である。
【０１４２】
本発明においては、このような縫製ラインが、膝関節の内側側面の側副靭帯上に存在する比較的緊締力の強い伸縮性部の少なくとも前記側副靭帯上の領域を通らないように設計することが好ましい。理解を容易にするために先の少数の図面を引用して上記脚部を筒状に形成する被服本体の縫製ラインについて具体例を挙げて説明する。
【０１４３】
図１１７は、図７の図面に、脚部を筒状に形成する被服本体の縫製ラインを記入したものである。すなわち、図１１７は、脚部を筒状に形成する被服本体の縫製ライン５０が脚部の内側を通っている場合の一態様を示したものである。脚部を筒状に形成する被服本体の縫製ライン５０は、膝関節の内側側面の側副靭帯３上に存在する比較的緊締力の強い伸縮性部１２１の少なくとも前記側副靭帯３上の領域を避けて比較的緊締力の強い伸縮性部１２１の一部の縁上を通る様に設計されている。このように「膝関節の内側側面の側副靭帯上に存在する比較的緊締力の強い伸縮性部の少なくとも前記側副靭帯上の領域を通らないように」とは、比較的緊締力の強い伸縮性部の前記側副靭帯上の領域の縁上を通る場合は許容される意味で用いている。もちろん、前記縫製ラインが前記側副靭帯上の領域の縁上を全く通らずに、比較的緊締力の強い伸縮性部の前記側副靭帯上の領域から少し離れた位置を通る設計にしてよいことは当然である。
【０１４４】
次に、図１１８は、被服本体の縫製ラインの位置を説明するための、前記図１１７で示した態様とは別の態様を示す図であり、図８の図面に、脚部を筒状に形成する被服本体の縫製ラインを記入したものである。すなわち、図１１８は、脚部を筒状に形成する被服本体の縫製ライン５１全体が脚部の外側を通っている場合の一態様を示したものである。脚部を筒状に形成する被服本体の縫製ライン全体が、脚部の外側を通っている場合は、膝関節の内側側面の側副靭帯上に存在する比較的緊締力の強い伸縮性部の少なくとも前記側副靭帯上の領域を通るということはないので、原則的にはかかる縫製ラインは、脚部の外側であればどの位置を通っていてもかまわない。しかし、脚部の外側にも、何らかの比較的緊締力の強い伸縮性部が存在する場合には、可能であれば、比較的緊締力の強い伸縮性部の領域を避けて、その縁上に沿って縫製ラインを設けるとか、比較的緊締力の強い伸縮性部の領域から、少し離れた位置に縫製ラインが通る様な設計にすることが好ましい。図１１８に示した例では、脚部を筒状に形成する被服本体の縫製ライン５１は、上方部分においては、比較的緊締力の強い伸縮性部１２１の一方の縁に沿って設けられており、ウェスト位置１０から被服全体の長さの約１／３程度下方に下がった位置から、縫製ライン５１は比較的緊締力の強い伸縮性部１２１と少し離れて、ほぼ被服の脇側の中央部を通っている設計になっている。
【０１４５】
次に、図１１９は、被服本体の縫製ラインの位置を説明するための、前記図１１７〜図１１８で示した態様とは更に別の態様を示す図であり、図８０の図面に、脚部を筒状に形成する被服本体の縫製ラインを記入したものである。すなわち、図１１８は、脚部を筒状に形成する被服本体の縫製ライン５２全体が脚部の外側を通っている場合の別の一態様を示したものである。図１１８に示した例では、脚部を筒状に形成する被服本体の縫製ライン５２は、比較的緊締力の強い伸縮性部１５６の後ろ側の縁に沿って設けられており、この箇所で縫製すると、縫製ラインが比較的緊締力の強い伸縮性部１５６の縁に沿っているので、かかる縫製ラインのみが別個に被服に現れることがなく被服の外観に響きにくいので、デザイン性を損なうことがないと言う利点を有する。特に、比較的緊締力の強い伸縮性部が当て布によって構成される場合には、この縫製箇所は、当て布と被服本体布との縫製箇所にもなるので、デザイン性を損なうことがなく、かかる共通の縫製箇所とすることにより、少ない縫製箇所で本発明の下肢部サポート被服を作ることができ好ましい。上記の例は一例であるが、このように、比較的緊締力の強い伸縮性部が被服の脚部の外側を通っている場合で、ほぼ被服の上端から下端まで通っている場合などには、比較的緊締力の強い伸縮性部の縁に沿って脚部を筒状に形成する被服本体の縫製ラインを設けることは上述したようなメリットもあり好ましい。
【０１４６】
以上、少数の具体例を挙げて、脚部を筒状に縫製する場合の被服本体の縫製ラインについて説明したが、本発明においては、上記図示した具体例に限定されるものではない。
【０１４７】
上述したように、膝関節の内側側面の側副靭帯上に存在する比較的緊締力の強い伸縮性部の少なくとも前記側副靭帯上の領域を、被服本体の縫製ラインが通っていない本発明の好ましい態様とすることにより、内側側副靭帯上に存在する比較的緊締力の強い伸縮性部の少なくとも前記内側側副靭帯上の領域を、被服本体の縫製ラインが通っていると、縫製ラインにより伸縮性が低下することにより、内側側副靭帯をサポートするパワーが不十分になることを防止出来る。従って上記本発明の好ましい態様とすることにより、内側側副靭帯上に存在する比較的緊締力の強い伸縮性部の緊締力が十分に発揮され好ましい。
【０１４８】
本発明の被服において、比較的緊締力の強い伸縮性部の形成方法としては、被服本体に所定形状の伸縮性生地を重ね合わせてそれを縫合させることによって形成してもよい。特にこの方法によれば、容易に耐久性のある被服を製造することができる。もちろん、比較的緊締力の強い伸縮性部とそれ以外の部分をそれぞれ所定形状のパーツにして、それらを接ぎ合わせて本発明の下肢部サポート用被服を形成してもよいが、縫製が複雑になり、やや手間がかかる。
【０１４９】
また、そのほか例えば、被服本体に所定形状の伸縮性生地を引き伸ばして重ね合わせて縫合する方法によって比較的緊締力の強い伸縮性部を形成してもよい。これらの方法によれば、比較的緊締力の強い伸縮性部により強力な緊締力を付与する場合に好適である。
【０１５０】
また、参考方法として、被服本体を構成する伸縮性生地の編み組織をより緊締力の強い編み組織にする方法によって比較的緊締力の強い伸縮性部を形成する方法もある。これらの方法によれば、重ね合わせをしなくてもすむので、比較的緊締力の強い伸縮性部の厚みをより薄いものとすることができる。尚、上述したような編み組織の切り替えによって比較的緊締力の強い伸縮性部を形成する方法の定義には、被服本体を構成する繊維素材のうち、弾性繊維の太さが他の部分より太い弾性繊維を使用する方法や弾性繊維の使用密度を他の部分より大きくすることによって比較的緊締力の強い伸縮性部を形成する方法も含まれる。この方法によっても、重ね合わせをしなくてもすむので、比較的緊締力の強い伸縮性部の厚みをより薄くすることができる。
【０１５１】
また、別の参考方法として、被服を形成する生地として丸編地などを用いる場合には、カットボス編手法によって、比較的緊締力の強い伸縮性部を形成することもできる。
【０１５２】
上記した強緊締力部の形成方法の中でも、被服本体に所定形状の伸縮性生地を重ね合わせてそれを縫合することによって形成する方法と、被服本体に所定形状の伸縮性生地を引き伸ばして重ね合わせて縫合する方法とが容易である。尚、これらの方法によれば、被服本体に縫合される伸縮性生地の緊締力は被服本体の伸縮性生地の緊締力よりもやや小さくても、同じでも、大きくてもよい。被服本体に伸縮性生地が重ね合わせられた結果、重ね合わされた部分の緊締力が増大するからである。どのくらいの緊締力の生地を重ね合わせたらよいかは、被服の種類や使用目的、着用者の好みなどによって適宜選定すればよい。
【０１５３】
なお、前述したカットボス編手法によって、比較的緊締力の強い伸縮性部を形成する手法について、以下、理解を容易にするために、参考までに図１２０〜図１２２を用いて説明しておく。
【０１５４】
図１２０〜図１２１は、丸編において、カットボス編手法を説明するための断面概念工程図である。点線の矢印Ａで示した側が丸編地の表側で、点線の矢印Ｂで示した側が丸編生地の裏側である。
【０１５５】
まず、図１２０に示すように、表糸６１と裏糸６２を供給して丸編機で編む際に、カットボス手法によって比較的緊締力を強くしたい部分に中糸６３を表糸６１と裏糸６２の間に挿入して、表糸６１と中糸６３と裏糸６２をそろえて供給して丸編機で編み込む。この部分は矢印６４ａ〜６４ｂの間と矢印６４ｃ〜６４ｄの間の部分である（尚、中糸６３は、わかりやすいように１点鎖線で図示してある。）。そして、矢印６４ｂ〜６４ｃの間の部分の如く、比較的緊締力が弱い部分に該当する部分は、中糸６３が表糸６１と裏糸６２の間に挿入されないように中糸６３を裏側に浮かせて、表糸６１と裏糸６２のみで編む。次いで矢印６４ａ、６４ｂ、６４ｃ、６４ｄのところで裏側に浮かされた中糸６３をカットし、図１２０に示したようなＺ1とＺ3の部分が中糸６３が挿入されていて、比較的緊締力の強い伸縮性部となり、Ｚ2の部分が表糸１と裏糸２のみで編まれた比較的緊締力の弱い伸縮性部となる。
【０１５６】
図１２２に、上述のカットボス編手法によって得られた丸編生地の断面概念図を示した。６１ａが表糸６１があらわれている丸編生地の表側、６２ａが裏糸６２があらわれている丸編生地の裏側、６３ａが中糸６３で構成された補強層であり、Ｚ1とＺ3の部分が、比較的緊締力の強い伸縮性部となり、Ｚ2の部分が比較的緊締力の弱い部分となる。
【０１５７】
本発明においては、前記の如く比較的緊締力の強い伸縮性部と比較的緊締力の弱い伸縮性部をカットボス編手法のみで形成してもよいが、更に、丸編地における同一コース内での度目調整によって、緊締力の変化を付与する手法を併用してもよい。
【０１５８】
比較的緊締力の強い伸縮性部の緊締力としては、特に限定するものではないが、ほぼその長さ方向で０．３Ｎ〜４Ｎの緊締力を有する様に設計することが好ましい。このような緊締力の範囲において、本発明の機能が効果的に発揮され、また、圧迫感が余りに強過ぎることもなく着用感が良好で好ましい。尚、比較的緊締力の弱い伸縮性部の緊締力が０．３Ｎを超えることがあっても、当該被服中に設けられている比較的緊締力の強い伸縮性部よりも、その緊締力が小さければ差し支えない。
【０１５９】
比較的緊締力の強い伸縮性部や比較的緊締力の弱い伸縮性部などの生地の緊締力を測定する場合には、次の引張り試験を行って測定する。
【０１６０】
素材経方向（ウェール方向）が試験片の長さ方向になるように幅２．５ｃｍ×長さ１６．０ｃｍの試験片を作成し、その長さ方向を上下方向に向けてその両端をクリップでつかむ。上部つかみ長さを２．５ｃｍ、下部つかみ長さを３．５ｃｍとし、従ってつかみ間隔は１０．０ｃｍとして定速伸長形引張試験機（島津製作所製“オートグラフ”ＡＧ−５００Ｄ）に取り付け、３０±２ｃｍ／分の速度で試験片を伸度８０％まで伸ばす。この際、伸度３０％時点で試験片に掛かっている応力を記録しこれを伸長力（単位Ｎ）、［１ｇｆ≒０．００９８Ｎ］とし、次に伸度８０％まで伸ばした試験片に掛かる応力を取り去ると、試験片が元の長さに戻ろうとして収縮するが、伸度３０％まで回復した時の試験片に掛かる応力を緊締力（単位Ｎ）とする。これらの値は、上記引張試験機により自動的に記録される様に設定しておく。尚、伸長力、緊締力とも、これらのデータは試験片２つの平均値を求めてそれぞれ伸長力、緊締力とした。
【０１６１】
ここで、伸度（％）とは、伸ばした状態で伸び方向の生地の長さをｄ、伸ばす前の試料の元の長さ（すなわちつかみ間隔）をｅとすると、［（ｄ−ｅ）／ｅ］×１００の値である。
【０１６２】
尚、伸長力や緊締力の測定の際に試験片の大きさとしては、前述のような大きさのものを用いることが好ましいが、かかる大きさの試料が測定対象の衣類から切り出せない場合にはそれより小さくても差し支えない。ただ、試料の大きさが小さくなるほど、測定誤差が大きくなるので、切り出せる範囲でできるだけ大きな試料を採取して測定することが好ましい。
【０１６３】
本発明の被服における比較的緊締力の強い伸縮性部の幅は、その存在部位、用いる素材の緊締力の強さ、比較的緊締力の強い伸縮性部の形成手段、被服の使用目的（例えば着用者の膝関節の障害の程度や障害部位、または障害予防の目的、行うスポーツの種類など）、大人か子供かなどによって適宜本発明の目的が達成される範囲で適当な幅にすれば良く、また、部位によって当然幅が異なってくるので、一概に数値で規定することは困難であるが、線状のように幅の狭いものでは意味がなく、例えば、平均で２ｃｍ以上の幅であることが好ましく、平均で３ｃｍ以上の幅であることがより好ましい。最も幅の広い部分は通常１５ｃｍ程度以下、より好ましくは１３ｃｍ程度以下が好ましい。
【０１６４】
もちろん本発明の目的が達成される範囲に於いて、比較的緊締力の強い伸縮性部の幅は、部位に応じて部分的に狭幅になったり、広幅になったりすることがあるのは何ら差し支えない。
【０１６５】
本発明において、種々説明した筋肉をサポートするための比較的緊締力の強い伸縮性部は、特殊な細部を除いて主として筋肉や靱帯の繊維方向にほぼ沿った方向に向かって設けられており、このような態様とすることによって、筋肉や靱帯の機能を阻害せずに筋肉の収縮や靱帯の機能を助長することができ、好ましい。
【０１６６】
また、本発明の被服は、伸縮性生地として、被服本体部分や各比較的緊締力の強い伸縮性部において、伸縮性を有するポリウレタン繊維含有ラッセル編物であるポリウレタン繊維含有パワーネットや、ポリウレタン繊維含有トリコット編物であるポリウレタン繊維含有ツーウェイトリコット編物、ポリウレタン繊維含有丸編物などを好ましく用いることができるので、従来の比較的厚地のパイル地やネオプレンシートなどを用いるサポーターなどに比べて、通常の衣料を作成する際に用いられている程度の厚み、例えば約０．３〜０．８ｍｍの厚みの生地が使用でき、したがって着用時のプロポーションなどの外観が低下が少なく、身体によくフィットし、通気性も比較的良好な被服を提供できる。パワーネットの種類としては、例えば、プレーンパワーネット、サテンパワーネット、ツーウェイラッセル、“トリスキン”（ト部株式会社の商標）などが挙げられる。
【０１６７】
また、各比較的緊締力の強い伸縮性部の緊締力はすべて同一である必要はなく、部位に応じて異なった緊締力としてもよい。
【０１６８】
被服の生地を構成する繊維糸の種類も、特に限定するものではなく、ポリエステル、ナイロンなどで代表される各種の合成繊維糸、木綿、ウール、絹などで代表される天然繊維糸、レーヨンなどで代表される半合成繊維糸、ポリウレタン繊維糸などで代表される弾性繊維糸、あるいは、これらの少なくとも２種類の繊維が混在した混合繊維からなる糸、カバリングヤーン、吸水速乾性糸、その他の加工糸など各種の繊維糸を用いることができる。
【０１６９】
尚、弾性糸を使用する場合には、弾性繊維のみから作られた糸を用いてもよいが、目的に応じて、前述したような吸水速乾性糸、発水性に優れた合成繊維糸あるいは天然繊維糸などの他の繊維でカバリングされた弾性糸を用いることがより好適である。
【産業上の利用可能性】
【０１７０】
本発明の被服は、次の様な機能を発揮し得る下肢部サポート用被服が提供される。
【０１７１】
すなわち、本発明の下肢部サポート用被服は、伸縮性を有し、身体に密着して着用される下肢部をサポートする股部を有する被服であって、当該被服は比較的緊締力の強い伸縮性部を有し、前記比較的緊締力の強い伸縮性部が、人体の膝関節の内側側面の側副靭帯を実質的にカバーし、膝関節の上方においては、縫工筋に沿って設けられている比較的緊締力の強い伸縮性部を有している。
【０１７２】
従って本発明の下肢部サポート用被服は、前記比較的緊締力の強い伸縮性部が内側側副靭帯をサポートし、さらに膝関節の上方において、前記内側側副靭帯の上に存在して上方に伸びている縫工筋をサポートしており、この様に上方に伸びている部分で内側側副靭帯をサポートしている比較的緊締力の強い伸縮性部を引っ張るようなパワーが作用するので、より内側側副靭帯のサポート力が向上し、また、内側側副靭帯とともに膝関節をサポートしている縫工筋を比較的緊締力の強い伸縮性部がサポートするのでこの両者の総合作用から、膝を保護し、膝関節を安定に保ち、しかも膝関節の動きの自由度をあまり低下させず、着用感も良好で、膝の不安定さから生じる膝痛などの予防や、軽減、さらには、スポーツその他で生じる内側側副靭帯損傷の予防にも有用な下肢部サポート用被服を提供できる。
【０１７３】
また、縫工筋をサポートし、大腿部を内側から外側に向かって斜めに大転子に至るまで螺旋状に比較的緊締力の強い伸縮性部が存在するので、内側側副靭帯をサポートしている比較的緊締力の強い伸縮性部を引っ張るようなパワーが更に一層強められ、より内側側副靭帯のサポート力が向上した下肢部サポート用被服が提供でき好ましい。更に、内側側副靭帯の機能を補助している縫工筋をサポートでき好ましい。
【０１７４】
また、上記比較的緊締力の強い伸縮性部で表わされる部分が、更に大転子近傍から腸脛靭帯に沿ってウェスト近傍に至っている本発明の好ましい態様の下肢部サポート用被服とすることにより、更に前記の機能が更に強化され、また、大転子を押さえる機能が付与されており、大腿骨頭と寛骨臼との結合を良好にし、股関節の安定性を向上させる機能が発揮され好ましい。
【０１７５】
以上説明したように、本発明の下肢部サポート用被服は、ロングタイプのスポーツ用タイツ、セミロングタイプのスポーツ用タイツなど、効率よく膝を保護し、膝関節を安定に保ち、膝関節の動きの自由度を低下させず、着用感も良好で、膝痛などの予防、軽減、スポーツその他で生じる内側側副靭帯損傷の予防に有用な下肢部サポート用被服として有用に用いられる。
【図面の簡単な説明】
【０１７６】
【図１】図１は、本発明の股部を有しウエストラインから踝の上方までの長さを有する下肢部サポート用被服（ロングタイツタイプ）の一実施態様の背面図。
【図２】図２は、図１の下肢部サポート用被服の正面図。
【図３】図３は、図２の下肢部サポート用被服のＡ−Ａ´ラインにおける断面図。
【図４】図４は、図２の下肢部サポート用被服の右側面図。
【図５】図５は、本発明のロングタイツタイプの下肢部サポート用被服の更に別の一実施態様を示す背面図。
【図６】図６は、図５の下肢部サポート用被服の正面図。
【図７】図７は、図６の下肢部サポート用被服のＡ−Ａ´ラインにおける断面図。
【図８】図８は、図６の下肢部サポート用被服の右側面図。
【図９】図９は、本発明のロングタイツタイプの下肢部サポート用被服の更に別の一実施態様を示す背面図。
【図１０】図１０は、図９の下肢部サポート用被服の正面図。
【図１１】図１１は、図１０の下肢部サポート用被服のＡ−Ａ´ラインにおける断面図。
【図１２】図１２は、図１０の下肢部サポート用被服の右側面図。
【図１３】図１３は、参考例のロングタイツタイプの下肢部サポート用被服の一参考実施態様を示す背面図。
【図１４】図１４は、図１３の下肢部サポート用被服の正面図。
【図１５】図１５は、図１４の下肢部サポート用被服のＡ−Ａ´ラインにおける断面図。
【図１６】図１６は、図１４の下肢部サポート用被服の右側面図。
【図１７】図１７は、参考例のロングタイツタイプの下肢部サポート用被服の別の一参考実施態様を示す背面図。
【図１８】図１８は、図１７の下肢部サポート用被服の正面図。
【図１９】図１９は、図１８の下肢部サポート用被服のＡ−Ａ´ラインにおける断面図。
【図２０】図２０は、図１８の下肢部サポート用被服の右側面図。
【図２１】図２１は、参考例のロングタイツタイプの下肢部サポート用被服の更に別の一参考実施態様を示す背面図。
【図２２】図２２は、図２１の下肢部サポート用被服の正面図。
【図２３】図２３は、図２２の下肢部サポート用被服のＡ−Ａ´ラインにおける断面図。
【図２４】図２４は、図２２の下肢部サポート用被服の右側面図。
【図２５】図２５は、参考例のロングタイツタイプの下肢部サポート用被服の更に別の一参考実施態様を示す背面図。
【図２６】図２６は、図２５の下肢部サポート用被服の正面図。
【図２７】図２７は、図２６の下肢部サポート用被服のＡ−Ａ´ラインにおける断面図。
【図２８】図２８は、図２６の下肢部サポート用被服の右側面図。
【図２９】図２９は、参考例のロングタイツタイプの下肢部サポート用被服の更に別の一参考実施態様を示す背面図。
【図３０】図３０は、図２９の下肢部サポート用被服の正面図。
【図３１】図３１は、図３０の下肢部サポート用被服のＡ−Ａ´ラインにおける断面図。
【図３２】図３２は、図３０の下肢部サポート用被服の右側面図。
【図３３】図３３は、参考例のロングタイツタイプの下肢部サポート用被服の更に別の一参考実施態様を示す背面図。
【図３４】図３４は、図３３の下肢部サポート用被服の正面図。
【図３５】図３５は図３４の下肢部サポート用被服のＡ−Ａ´ラインにおける断面図。
【図３６】図３６は、図３４の下肢部サポート用被服の右側面図。
【図３７】図３７は、参考例のロングタイツタイプの下肢部サポート用被服の更に別の一参考実施態様を示す背面図。
【図３８】図３８は、図３７の下肢部サポート用被服の正面図。
【図３９】図３９は、図３８の下肢部サポート用被服のＡ−Ａ´ラインにおける断面図。
【図４０】図４０は、図３８の下肢部サポート用被服の右側面図。
【図４１】図４１は、参考例のロングタイツタイプの下肢部サポート用被服の更に別の一参考実施態様を示す背面図。
【図４２】図４２は、図４１の下肢部サポート用被服の正面図。
【図４３】図４３は、図４２の下肢部サポート用被服のＡ−Ａ´ラインにおける断面図。
【図４４】図４４は、図４２の下肢部サポート用被服の右側面図。
【図４５】図４５は、参考例のロングタイツタイプの下肢部サポート用被服の更に別の一参考実施態様を示す背面図。
【図４６】図４６は、図４５の下肢部サポート用被服の正面図。
【図４７】図４７は、図４６の下肢部サポート用被服のＡ−Ａ´ラインにおける断面図。
【図４８】図４８は、図４６の下肢部サポート用被服の右側面図。
【図４９】図４９は、参考例のロングタイツタイプの下肢部サポート用被服の更に別の一参考実施態様を示す背面図。
【図５０】図５０は、図４９の下肢部サポート用被服の正面図。
【図５１】図５１は、図５０の下肢部サポート用被服のＡ−Ａ´ラインにおける断面図。
【図５２】図５２は、図５０の下肢部サポート用被服の右側面図。
【図５３】図５３は、参考例のロングタイツタイプの下肢部サポート用被服の更に別の一参考実施態様を示す背面図。
【図５４】図５４は、図５３の下肢部サポート用被服の正面図。
【図５５】図５５は、図５４の下肢部サポート用被服のＡ−Ａ´ラインにおける断面図。
【図５６】図５６は、図５４の下肢部サポート用被服の右側面図。
【図５７】図５７は、参考例のロングタイツタイプの下肢部サポート用被服の更に別の一参考実施態様を示す背面図。
【図５８】図５８は、図５７の下肢部サポート用被服の正面図。
【図５９】図５９は、図５８の下肢部サポート用被服のＡ−Ａ´ラインにおける断面図。
【図６０】図６０は、図５８の下肢部サポート用被服の右側面図。
【図６１】図６１は、参考例のロングタイツタイプの下肢部サポート用被服の更に別の一参考実施態様を示す背面図。
【図６２】図６２は、図６１の下肢部サポート用被服の正面図。
【図６３】図６３は、図６２の下肢部サポート用被服のＡ−Ａ´ラインにおける断面図。
【図６４】図６４は、図６２の下肢部サポート用被服の右側面図。
【図６５】図６５は、参考例のロングタイツタイプの下肢部サポート用被服の更に別の一参考実施態様を示す背面図。
【図６６】図６６は、図６５の下肢部サポート用被服の正面図。
【図６７】図６７は、図６６の下肢部サポート用被服のＡ−Ａ´ラインにおける断面図。
【図６８】図６８は、図６６の下肢部サポート用被服の右側面図。
【図６９】図６９は、参考例のロングタイツタイプの下肢部サポート用被服の更に別の一参考実施態様を示す背面図。
【図７０】図７０は、図６９の下肢部サポート用被服の正面図。
【図７１】図７１は、図７０の下肢部サポート用被服のＡ−Ａ´ラインにおける断面図。
【図７２】図７２は、図７０の下肢部サポート用被服の右側面図。
【図７３】図７３は、参考例のロングタイツタイプの下肢部サポート用被服の更に別の一参考実施態様を示す背面図。
【図７４】図７４は、図７３の下肢部サポート用被服の正面図。
【図７５】図７５は、図７４の下肢部サポート用被服のＡ−Ａ´ラインにおける断面図。
【図７６】図７６は、図７４の下肢部サポート用被服の右側面図。
【図７７】図７７は、参考例のロングタイツタイプの下肢部サポート用被服の更に別の一参考実施態様を示す背面図。
【図７８】図７８は、図７７の下肢部サポート用被服の正面図。
【図７９】図７９は、図７８の下肢部サポート用被服のＡ−Ａ´ラインにおける断面図。
【図８０】図８０は、図７８の下肢部サポート用被服の右側面図。
【図８１】図８１は、参考例のロングタイツタイプの下肢部サポート用被服の更に別の一参考実施態様を示す背面図。
【図８２】図８２は、図８１の下肢部サポート用被服の正面図。
【図８３】図８３は、図８２の下肢部サポート用被服のＡ−Ａ´ラインにおける断面図。
【図８４】図８４は、図８２の下肢部サポート用被服の右側面図。
【図８５】図８５は、参考例のロングタイツタイプの下肢部サポート用被服の更に別の一参考実施態様を示す背面図。
【図８６】図８６は、図８５の下肢部サポート用被服の正面図。
【図８７】図８７は、図８６の下肢部サポート用被服のＡ−Ａ´ラインにおける断面図。
【図８８】図８８は、図８６の下肢部サポート用被服の右側面図。
【図８９】図８９は、本発明のセミロングタイツタイプの下肢部サポート用被服の一実施態様を示す背面図。
【図９０】図９０は、図８９の下肢部サポート用被服の正面図。
【図９１】図９１は、図９０の下肢部サポート用被服のＡ−Ａ´ラインにおける断面図。
【図９２】図９２は、図９０の下肢部サポート用被服の右側面図。
【図９３】図９３は、参考例のセミロングタイツタイプの下肢部サポート用被服の更に別の一参考実施態様を示す背面図。
【図９４】図９４は、図９３の下肢部サポート用被服の正面図。
【図９５】図９５は、図９４の下肢部サポート用被服のＡ−Ａ´ラインにおける断面図。
【図９６】図９６は、図９４の下肢部サポート用被服の右側面図。
【図９７】図９７は、参考例のセミロングタイツタイプの下肢部サポート用被服の更に別の一参考実施態様を示す背面図。
【図９８】図９８は、図９７の下肢部サポート用被服の正面図。
【図９９】図９９は、図９８の下肢部サポート用被服のＡ−Ａ´ラインにおける断面図。
【図１００】図１００は、図９８の下肢部サポート用被服の右側面図。
【図１０１】図１０１は、参考例のセミロングタイツタイプの下肢部サポート用被服の更に別の一参考実施態様を示す背面図。
【図１０２】図１０２は、図１０３の下肢部サポート用被服の正面図。
【図１０３】図１０３は、図１０２の下肢部サポート用被服のＡ−Ａ´ラインにおける断面図。
【図１０４】図１０４は、図１０２の下肢部サポート用被服の右側面図。
【図１０５】図１０５は、参考例のセミロングタイツタイプの下肢部サポート用被服の更に別の一参考実施態様を示す背面図。
【図１０６】図１０６は、図１０５の下肢部サポート用被服の正面図。
【図１０７】図１０７は、図１０６の下肢部サポート用被服のＡ−Ａ´ラインにおける断面図。
【図１０８】図１０８は、図１０６の下肢部サポート用被服の右側面図。
【図１０９】図１０９は参考例のセミロングタイツタイプの下肢部サポート用服の  更に別の一参考実施態様を示す背面図。
【図１１０】図１１０は図１０９の下肢部サポート用被服の正面図。
【図１１１】図１１１は図１１０の下肢部サポート用被服のＡ−Ａ´ラインにおける断面図。
【図１１２】図１１２は図１１０の下肢部サポート用被服の右側面図。
【図１１３】図１１３は参考例のセミロングタイツタイプの下肢部サポート用被服の更に別の一参考実施態様を示す背面図。
【図１１４】図１１４は図１１３の下肢部サポート用被服の正面図。
【図１１５】図１１５は図１１４の下肢部サポート用被服のＡ−Ａ´ラインにおける断面図。
【図１１６】図１１６は図１１４の下肢部サポート用被服の右側面図。
【図１１７】図１１７は、図７の図面に、脚部を筒状に形成する被服本体の縫製ラインを記入した被服本体の縫製ラインの位置の一実施態様を説明するための図。
【図１１８】図１１８は、図８の図面に、脚部を筒状に形成する被服本体の縫製ラインを記入した被服本体の縫製ラインの位置の別の一実施態様を説明するための図。
【図１１９】図１１９は、図８０の図面に、脚部を筒状に形成する被服本体の縫製ラインを記入した被服本体の縫製ラインの位置の更に別の一実施態様を説明するための図。
【図１２０】図１２０は、丸編において、カットボス編手法を説明するための断面概念工程図。
【図１２１】図１２１は、丸編において、カットボス編手法を説明するための断面概念工程図。
【図１２２】図１２２は、カットボス編手法によって得られた丸編生地の断面概念図。
【図１２３】図１２３は、右半分が人体下肢部の前面側から見た骨格図、また、左半分が人体下肢部の前面側から見た筋肉図。
【図１２４】図１２４は、左半分が人体下肢部の後面側から見た骨格図、また、右半分が人体下肢部の後面側から見た筋肉図。
【図１２５】図１２５は、人体の右側の下肢部の外側側面側から見た一部骨格付きの筋肉図。
【図１２６】図１２６は、人体の右側の下肢部の内側側面側から見た一部骨格付きの筋肉図。
【図１２７】図１２７は、膝関節を後ろ側から見た膝関節近傍の骨格と靱帯の部分背面図。
【図１２８】図１２８は、膝関節を人体内側から見た膝関節近傍の骨格と靱帯の部分側面図。
【符号の説明】
【０１７７】
１        膝蓋骨
２        比較的緊締力の強い伸縮性部
３        膝関節の内側側面の側副靭帯
４        膝蓋骨の下側部分の一部
５        内側の腓腹筋及びヒラメ筋の側方
６        縫工筋
７        大腿直筋のうちの上方部分
８        大転子近傍
９        腸脛靭帯
１０      ウェスト近傍
１１      人体内側側部側の膝蓋骨１の上側部分
１２      膝蓋骨の下側の周囲近辺
１３      膝蓋骨１の外側側方
１４      膝蓋骨の外側から下側部分
１５      外側の腓腹筋及びヒラメ筋の側方
１６      外踝
２１      半腱様筋
２２      臀溝近傍
２３      薄筋
２４      股下近傍
２５      半腱様筋と薄筋
２６      半腱様筋及び半膜様筋
２７      大腿二頭筋
３１      分岐点
３２      膝蓋骨１の人体外側側部側の下側部分
３３      膝蓋骨１の人体外側側部側の上側部分
３５      後側の人体の第４腰椎から仙骨に相当する位置
３６      腹直筋
３７      外側広筋
３８      合流点
３９      分岐点
４０      比較的緊締力の強い伸縮性部１５４の頂点
４１      内側の腓腹筋及びヒラメ筋の下方の側方
４２      内踝上方
４３      外側の腓腹筋及びヒラメ筋の側方
４４      分岐点
５０      脚部を筒状に形成する被服本体の縫製ライン
５１      脚部を筒状に形成する被服本体の縫製ライン
５２      脚部を筒状に形成する被服本体の縫製ライン
６１      表糸
６１ａ    表糸６１があらわれている丸編生地の表側
６２      裏糸
６２ａ    裏糸６２があらわれている丸編生地の裏側
６３      中糸
６３ａ    中糸６３で構成された補強層
６４ａ、６４ｂ、６４ｃ、６４ｄ      矢印
１２１、１２１ａ、１２１ｃ、１２１ｃ´    比較的緊締力の強い伸縮性部
１２２、１２２´、１２２ａ    比較的緊締力の強い伸縮性部
１２３    比較的緊締力の強い伸縮性部
１２４、１２４´、１２４ａ    比較的緊締力の強い伸縮性部
１３０、１３０ａ    比較的緊締力の強い伸縮性部
１３１、１３１ａ    比較的緊締力の強い伸縮性部
１３２    比較的緊締力の強い伸縮性部
１３３    比較的緊締力の強い伸縮性部
１４０    比較的緊締力の強い伸縮性部
１４１    比較的緊締力の強い伸縮性部
１４２、１４２ａ    比較的緊締力の強い伸縮性部
１４３、１４３ａ    比較的緊締力の強い伸縮性部
１４５    比較的緊締力の強い伸縮性部
１４６    比較的緊締力の強い伸縮性部
１４７    比較的緊締力の強い伸縮性部
１４８    比較的緊締力の強い伸縮性部
１５０    比較的緊締力の強い伸縮性部
１５１    比較的緊締力の強い伸縮性部
１５２    比較的緊締力の強い伸縮性部
１５３    比較的緊締力の強い伸縮性部
１５４    比較的緊締力の強い伸縮性部
１５５    比較的緊締力の強い伸縮性部
１５６    比較的緊締力の強い伸縮性部
７０１    中殿筋
７０２    大殿筋
７０３    大転子
７０４    外側広筋
７０５    腸脛靭帯
７０６    大内転筋
７０７    半膜様筋
７０８    半腱様筋
７０９    大腿二頭筋
７０９´  大腿二頭筋の腱の部分の一部
７１０    薄筋
７１１    縫工筋
７１２    内側広筋
７１３    大腿骨の外側顆
７１４    大腿骨の内側顆
７１５    膝蓋部（膝蓋骨）
７１６    前脛骨筋
７１７    脛骨
７１８    ヒラメ筋
７１８ａ  外側のヒラメ筋
７１８ｂ  内側のヒラメ筋
７１９    腓腹筋
７１９ａ  外側の腓腹筋
７１９ｂ  内側の腓腹筋
７２０    長腓骨筋
７２１    外果
７２２    内果
７２３    大腿直筋
７２４    大腿骨
７２５    腓骨
７２６    腓骨頭
７２７    大腿骨頭
７２８    寛骨臼
７２９    仙骨
８００    内側側幅靱帯
８０１    外側側幅靱帯
８０３    頸骨の内側顆
８０４    腓骨の外側顆
８０５    内側半月
８０６    外側半月
８０７    後十字靱帯
【図１】
0003666869.tif 000002
【図２】
0003666869.tif 000003
【図３】
0003666869.tif 000004
【図４】
0003666869.tif 000005
【図５】
0003666869.tif 000006
【図６】
0003666869.tif 000007
【図７】
0003666869.tif 000008
【図８】
0003666869.tif 000009
【図９】
0003666869.tif 000010
【図１０】
0003666869.tif 000011
【図１１】
0003666869.tif 000012
【図１２】
0003666869.tif 000013
【図１３】
0003666869.tif 000014
【図１４】
0003666869.tif 000015
【図１５】
0003666869.tif 000016
【図１６】
0003666869.tif 000017
【図１７】
0003666869.tif 000018
【図１８】
0003666869.tif 000019
【図１９】
0003666869.tif 000020
【図２０】
0003666869.tif 000021
【図２１】
0003666869.tif 000022
【図２２】
0003666869.tif 000023
【図２３】
0003666869.tif 000024
【図２４】
0003666869.tif 000025
【図２５】
0003666869.tif 000026
【図２６】
0003666869.tif 000027
【図２７】
0003666869.tif 000028
【図２８】
0003666869.tif 000029
【図２９】
0003666869.tif 000030
【図３０】
0003666869.tif 000031
【図３１】
0003666869.tif 000032
【図３２】
0003666869.tif 000033
【図３３】
0003666869.tif 000034
【図３４】
0003666869.tif 000035
【図３５】
0003666869.tif 000036
【図３６】
0003666869.tif 000037
【図３７】
0003666869.tif 000038
【図３８】
0003666869.tif 000039
【図３９】
0003666869.tif 000040
【図４０】
0003666869.tif 000041
【図４１】
0003666869.tif 000042
【図４２】
0003666869.tif 000043
【図４３】
0003666869.tif 000044
【図４４】
0003666869.tif 000045
【図４５】
0003666869.tif 000046
【図４６】
0003666869.tif 000047
【図４７】
0003666869.tif 000048
【図４８】
0003666869.tif 000049
【図４９】
0003666869.tif 000050
【図５０】
0003666869.tif 000051
【図５１】
0003666869.tif 000052
【図５２】
0003666869.tif 000053
【図５３】
0003666869.tif 000054
【図５４】
0003666869.tif 000055
【図５５】
0003666869.tif 000056
【図５６】
0003666869.tif 000057
【図５７】
0003666869.tif 000058
【図５８】
0003666869.tif 000059
【図５９】
0003666869.tif 000060
【図６０】
0003666869.tif 000061
【図６１】
0003666869.tif 000062
【図６２】
0003666869.tif 000063
【図６３】
0003666869.tif 000064
【図６４】
0003666869.tif 000065
【図６５】
0003666869.tif 000066
【図６６】
0003666869.tif 000067
【図６７】
0003666869.tif 000068
【図６８】
0003666869.tif 000069
【図６９】
0003666869.tif 000070
【図７０】
0003666869.tif 000071
【図７１】
0003666869.tif 000072
【図７２】
0003666869.tif 000073
【図７３】
0003666869.tif 000074
【図７４】
0003666869.tif 000075
【図７５】
0003666869.tif 000076
【図７６】
0003666869.tif 000077
【図７７】
0003666869.tif 000078
【図７８】
0003666869.tif 000079
【図７９】
0003666869.tif 000080
【図８０】
0003666869.tif 000081
【図８１】
0003666869.tif 000082
【図８２】
0003666869.tif 000083
【図８３】
0003666869.tif 000084
【図８４】
0003666869.tif 000085
【図８５】
0003666869.tif 000086
【図８６】
0003666869.tif 000087
【図８７】
0003666869.tif 000088
【図８８】
0003666869.tif 000089
【図８９】
0003666869.tif 000090
【図９０】
0003666869.tif 000091
【図９１】
0003666869.tif 000092
【図９２】
0003666869.tif 000093
【図９３】
0003666869.tif 000094
【図９４】
0003666869.tif 000095
【図９５】
0003666869.tif 000096
【図９６】
0003666869.tif 000097
【図９７】
0003666869.tif 000098
【図９８】
0003666869.tif 000099
【図９９】
0003666869.tif 000100
【図１００】
0003666869.tif 000101
【図１０１】
0003666869.tif 000102
【図１０２】
0003666869.tif 000103
【図１０３】
0003666869.tif 000104
【図１０４】
0003666869.tif 000105
【図１０５】
0003666869.tif 000106
【図１０６】
0003666869.tif 000107
【図１０７】
0003666869.tif 000108
【図１０８】
0003666869.tif 000109
【図１０９】
0003666869.tif 000110
【図１１０】
0003666869.tif 000111
【図１１１】
0003666869.tif 000112
【図１１２】
0003666869.tif 000113
【図１１３】
0003666869.tif 000114
【図１１４】
0003666869.tif 000115
【図１１５】
0003666869.tif 000116
【図１１６】
0003666869.tif 000117
【図１１７】
0003666869.tif 000118
【図１１８】
0003666869.tif 000119
【図１１９】
0003666869.tif 000120
【図１２０】
0003666869.tif 000121
【図１２１】
0003666869.tif 000122
【図１２２】
0003666869.tif 000123
【図１２３】
0003666869.tif 000124
【図１２４】
0003666869.tif 000125
【図１２５】
0003666869.tif 000126
【図１２６】
0003666869.tif 000127
【図１２７】
0003666869.tif 000128
【図１２８】
0003666869.tif 000129